(57)【特許請求の範囲】
【請求項１】
複数のコンポーネント・キャリアのコンポーネント・キャリア・アグリゲーションを使用するＯＦＤＭベースの移動通信システムにおいて基地局からグループの移動端末装置に送信電力制御コマンドを送信するための方法であって、
基地局によって実行される以下のステップ、すなわち、
複数の送信電力制御フィールドを有する複数の送信電力制御メッセージを生成し、前記移動端末装置のそれぞれに対し、前記複数の送信電力制御メッセージのうちの少なくとも１つの送信電力制御メッセージには、前記複数の送信電力制御フィールドのうちの少なくとも２つが割り当てられ、残りの送信電力制御メッセージには、前記複数の送信電力制御フィールドのうちの１つが割り当てられ、前記複数の送信電力制御メッセージのそれぞれに対し、各移動端末装置に割り当てられた前記１つまたは少なくとも２つの送信電力制御フィールドが、前記各移動端末装置によって集約されるアップリンク・コンポーネント・キャリアに関する送信電力コマンドをシグナリングするステップと、
前記送信電力制御メッセージをダウンリンク・コンポーネント・キャリアの制御シグナリング領域にマップするステップと、
前記ダウンリンク・コンポーネント・キャリアの制御シグナリング領域に含まれる前記送信電力制御メッセージをサブフレーム内で前記移動端末装置に送信するステップと、を備える方法。
【請求項２】
１つの移動端末装置に割り当てられる送信電力制御フィールドの数は、前記移動端末装置のために構成されたアップリンク・コンポーネント・キャリアの数以下である請求項１に記載の方法。
【請求項３】
前記グループの移動端末装置のうちの移動端末装置に割当てメッセージを送信するステップをさらに備え、前記割当てメッセージは、１つの移動端末装置に対し少なくとも２つ送信電力制御フィールドが割り当てられた送信電力制御メッセージに対して、前記移動端末装置を、前記送信電力制御メッセージの前記送信電力制御フィールドのうちの少なくとも２つに割り当て、および／または複数の一時識別子のうちの１つを前記移動端末装置に割り当てる割当て情報を含む請求項１または２に記載の方法。
【請求項４】
各送信電力制御メッセージ内の前記送信電力制御フィールドは、それぞれインデックスによって識別され、さらに前記割当てメッセージは、前記移動端末装置に割り当てられた前記送信電力制御メッセージ内の前記送信電力制御フィールドの前記インデックスを示す請求項３に記載の方法。
【請求項５】
前記移動端末装置によって集約される前記アップリンク・コンポーネント・キャリアが、キャリアのグループにグループ化される方法であって、
前記移動端末装置のうちの１つの移動端末装置の各グループのキャリアに関して、前記１つの移動端末装置に関するキャリア・グループ送信電力制御コマンドを決定し、各キャリア・グループ送信電力制御コマンドは、前記１つの移動端末装置によって、前記それぞれのグループのキャリアに属する前記アップリンク・コンポーネント・キャリア上のアップリンク伝送に適用されるべき送信電力コマンドであるステップと、
前記１つの移動端末装置に関する前記キャリア・グループ送信電力制御を、前記送信電力制御メッセージ内の前記１つの移動端末装置に割り当てられた前記少なくとも２つの送信電力制御フィールドのうちの１つに含めるステップと、をさらに備える請求項１から４のいずれか一項に記載の方法。
【請求項６】
前記キャリア・グループ送信電力制御コマンドのうちの１つは、前記１つの移動端末装置によって、前記移動端末装置のために構成されたすべてのアップリンク・コンポーネント・キャリア上の伝送に関して使用される、前記送信電力を制御する全送信電力制御コマンドである請求項５に記載の方法。
【請求項７】
前記送信電力制御メッセージ内で１つの移動端末装置に割り当てられた前記少なくとも２つの送信電力制御フィールドのうちの１つは、前記移動端末装置のために構成された全アップリンク・コンポーネント・キャリアに関する送信電力制御コマンドをシグナリングしており、さらに前記送信電力制御メッセージのその他の送信電力制御フィールドは、前記移動端末装置のために構成された前記アップリンク・コンポーネント・キャリアのサブセットに関する送信電力制御コマンドをシグナリングしている請求項６に記載の方法。
【請求項８】
前記全キャリア送信電力制御コマンドは、前記基地局によって、前記送信電力制御メッセージ内で前記１つの移動端末装置に割り当てられた第１の送信電力制御フィールド内に含められる請求項６または７に記載の方法。
【請求項９】
前記送信電力制御メッセージの前記送信電力制御フィールドに関するＣＲＣ符号を生成するステップと、
前記ＣＲＣ符号を、送信電力制御のために定義されたグループの移動端末装置に共通である、複数の一時識別子のうちの１つでマスクして、マスクされたＣＲＣ符号を獲得するステップと、
前記送信電力制御メッセージを前記ダウンリンク・コンポーネント・キャリアの前記制御シグナリング領域にマップするのに先立って、前記マスクされたＣＲＣ符号を前記送信電力制御メッセージのＣＲＣフィールドに含めるステップと、をさらに備える請求項１から８のいずれか一項に記載の方法。
【請求項１０】
前記基地局は、異なるグループの移動端末装置に関する複数の送信電力制御メッセージを生成して、前記サブフレーム内で送信し、前記送信電力制御メッセージのそれぞれは、送信電力制御のために定義されたグループの移動端末装置に共通である前記複数の一時識別子のうちの異なる１つの一時識別子でマスクされた、マスクされたＣＲＣを含み、
ＲＲＣシグナリングによって前記移動端末装置の異なる個別の探索空間および／または共通の探索空間を構成し、移動端末装置の探索空間は、前記移動端末装置が、前記送信電力制御メッセージを含む前記制御情報のブラインド検出を実行すべき各サブフレーム内の前記制御シグナリング領域の一部分を定義するステップをさらに備える方法であって、
前記マップするステップは、前記各送信電力制御メッセージを、前記それぞれの送信電力制御メッセージ内の送信電力制御フィールドが割り当てられた前記移動端末装置の前記探索空間に含まれる前記サブフレーム内の前記制御シグナリング領域の一部分にマップするステップを含む請求項９に記載の方法。
【請求項１１】
ＯＦＤＭベースの移動通信システム内の移動端末装置のアップリンク・コンポーネント・キャリアの送信電力制御のための方法であって、
前記移動端末装置によって実行される以下のステップ、すなわち、
基地局からサブフレームを受信するステップと、
受信されたサブフレーム内で、ダウンリンク・コンポーネント・キャリアの制御シグナリング領域内の複数の送信電力制御メッセージのブラインド検出を実行し、前記複数の送信電力制御メッセージは、複数の送信電力制御フィールドをそれぞれ有し、各送信電力制御メッセージの前記複数の送信電力制御フィールドのうちの少なくとも２つの送信電力制御フィールドが、前記移動端末装置のいずれかに割り当てられ、さらに前記移動端末装置によって集約された前記アップリンク・コンポーネント・キャリアに関する送信電力コマンドを含むステップと、
前記移動端末装置に割り当てられた、前記複数の送信電力制御メッセージ内の前記少なくとも２つの送信電力制御フィールドから、前記移動端末装置のアップリンク・コンポーネント・キャリアに関する送信電力制御コマンドを決定するステップと、
前記送信電力制御コマンドを、前記移動端末装置に関して集約された前記アップリンク・コンポーネント・キャリア上のアップリンク伝送に適用するステップと、を備える方法。
【請求項１２】
前記基地局から、前記送信電力制御メッセージ内の前記少なくとも２つの送信電力制御フィールドを割り当てる少なくとも１つのＲＲＣメッセージ、および／または前記移動端末装置を含む複数の移動端末装置に共通であり、さらに前記移動端末装置に対する送信電力制御のために定義された複数の一時識別子のうちの１つを受信するステップをさらに備える請求項１１に記載の方法。
【請求項１３】
前記送信電力制御メッセージのＣＲＣフィールドからマスクされたＣＲＣ符号を獲得するステップと、
前記マスクされたＣＲＣ符号を、前記移動端末装置を含む複数の移動端末装置に共通であり、さらに送信電力制御のために定義された複数の一時識別子のうちの１つを使用してマスク解除して、ＣＲＣ符号を獲得するステップと、
前記ＣＲＣ符号に基づいて前記送信電力制御メッセージのブラインド検出の成功を検証するステップと、をさらに備える請求項１１または１２に記載の方法。
【請求項１４】
複数のコンポーネント・キャリアのコンポーネント・キャリア・アグリゲーションを使用するＯＦＤＭベースの移動通信システムにおいて基地局から移動端末装置に送信電力制御コマンドを送信するための方法であって、
前記基地局によって実行される以下のステップ、すなわち、
前記移動端末装置に関して、複数の送信電力制御フィールドをそれぞれ備える複数の送信電力制御メッセージを生成し、各送信電力制御メッセージの前記送信電力制御フィールドのそれぞれの１つが、前記移動端末装置のうちのそれぞれの１つに、前記それぞれの１つの移動端末装置のために構成されたアップリンク・コンポーネント・キャリアのうちの少なくとも１つに関する送信電力コマンドをシグナリングするために、割り当てられるステップと、
前記送信電力制御メッセージをダウンリンク・コンポーネント・キャリアの制御シグナリング領域にマップするステップと、
サブフレーム内で、前記ダウンリンク・コンポーネント・キャリアの前記制御シグナリング領域内に含まれる前記送信電力制御メッセージを前記移動端末装置に送信するステップと、を備える方法。
【請求項１５】
前記移動端末装置によって集約された前記アップリンク・コンポーネント・キャリアが、グループのキャリアにグループ化される方法であって、
前記移動端末装置のうちの１つの移動端末装置の各グループのキャリアに関して、前記１つの移動端末装置に関するキャリア・グループ送信電力制御コマンドを決定し、各キャリア・グループ送信電力制御コマンドは、前記１つの移動端末装置によって、前記それぞれのグループのキャリアに属する前記アップリンク・コンポーネント・キャリア上のアップリンク伝送に適用されるべき送信電力コマンドであるステップと、
前記１つの移動端末装置に関する前記キャリア・グループ送信電力制御コマンドを、前記送信電力制御メッセージ内で前記１つの移動端末装置に割り当てられた前記複数の送信電力制御フィールドに含めるステップと、をさらに備える請求項１４に記載の方法。
【請求項１６】
前記キャリア・グループ送信電力制御コマンドのうちの１つは、前記１つの移動端末装置によって、前記移動端末装置のために構成されたすべてのアップリンク・コンポーネント・キャリア上の伝送に関して使用される送信電力を制御するための全キャリア送信電力制御コマンドである請求項１５に記載の方法。
【請求項１７】
ＯＦＤＭベースの移動通信システム内の移動端末装置のアップリンク・コンポーネント・キャリアの送信電力制御のための方法であって、
前記移動端末装置によって実行される以下のステップ、すなわち、
基地局からサブフレームを受信するステップと、
前記受信されたサブフレーム内で、ダウンリンク・コンポーネント・キャリアの制御シグナリング領域内の複数の送信電力制御メッセージのブラインド検出を実行し、各送信電力制御メッセージは、１つが、前記移動端末装置に関するそれぞれの送信電力制御コマンドを備える複数の送信電力制御フィールドを備えるステップと、
前記送信電力制御メッセージ内の前記それぞれの１つの割り当てられた送信電力制御フィールドから、前記移動端末装置のために構成された前記アップリンク・コンポーネント・キャリアに関する前記送信電力制御コマンドを決定するステップと、
前記送信電力制御コマンドを、前記移動端末装置のために構成された前記アップリンク・コンポーネント・キャリア上のアップリンク伝送に適用するステップと、を備える方法。
【請求項１８】
複数のコンポーネント・キャリアのコンポーネント・キャリア・アグリゲーションを使用するＯＦＤＭベースの移動通信システムにおいて使用するための基地局であって、
複数の送信電力制御フィールドを有する複数の送信電力制御メッセージを生成するように適合され、前記移動端末装置のそれぞれに対し、前記複数の送信電力制御メッセージのうちの少なくとも１つの送信電力制御メッセージには、前記複数の送信電力制御フィールドのうちの少なくとも２つが割り当てられ、残りの送信電力制御メッセージには、前記複数の送信電力制御フィールドのうちの１つが割り当てられ、さらに前記複数の送信電力制御メッセージのそれぞれに対し、各移動端末装置に割り当てられた前記少なくとも２つの送信電力制御フィールドは、前記各移動端末装置によって集約されたアップリンク・コンポーネント・キャリアに関する送信電力コマンドをシグナリングする処理ユニットと、
前記送信電力制御メッセージをダウンリンク・コンポーネント・キャリアの制御シグナリング領域にマップするように適合されたマッピング・ユニットと、
サブフレーム内で、前記ダウンリンク・コンポーネント・キャリアの前記制御シグナリング領域内に含まれる送信電力制御メッセージを前記移動端末装置に送信するように適合された送信ユニットと、を備える基地局。
【請求項１９】
ＯＦＤＭベースの移動通信システム内で使用するための移動端末装置であって、
基地局からサブフレームを受信するように適合された受信ユニットと、
前記受信されたサブフレーム内で、ダウンリンク・コンポーネント・キャリアの制御シグナリング領域内の複数の送信電力制御メッセージのブラインド検出を実行するように適合され、前記複数の送信電力制御メッセージは、複数の送信電力制御フィールドをそれぞれ有し、各送信電力制御メッセージの前記複数の送信電力制御フィールドのうちの少なくとも２つの送信電力制御フィールドが、前記移動端末装置のいずれかに割り当てられ、さらに前記移動端末装置によって集約されたアップリンク・コンポーネント・キャリアに関する送信電力コマンドを含み、
前記移動端末装置に割り当てられた、前記複数の送信電力制御メッセージ内の前記少なくとも２つの送信電力制御フィールドから、前記移動端末装置のアップリンク・コンポーネント・キャリアに関する送信電力制御コマンドを決定するようにさらに適合された処理ユニットと、
前記送信電力制御コマンドを、前記移動端末装置に関して集約された前記アップリンク・コンポーネント・キャリア上のアップリンク伝送に適用するように適合された送信電力制御ユニットと、を備える移動端末装置。
【請求項２０】
複数のコンポーネント・キャリアのコンポーネント・キャリア・アグリゲーションを使用するＯＦＤＭベースの移動通信システムにおいて使用するための基地局であって、
前記移動端末装置に関して、複数の送信電力制御フィールドをそれぞれ備える複数の送信電力制御メッセージを生成するように適合され、各送信電力制御メッセージの前記送信電力制御フィールドのそれぞれの１つが、前記移動端末装置のうちのそれぞれの１つに、前記それぞれの１つの移動端末装置のために構成されたアップリンク・コンポーネント・キャリアのうちの少なくとも１つに関する送信電力コマンドをシグナリングするために、割り当てられる処理ユニットと、
前記送信電力制御メッセージをダウンリンク・コンポーネント・キャリアの制御シグナリング領域にマップするように適合されたマッピング・ユニットと、
サブフレーム内で、前記ダウンリンク・コンポーネント・キャリアの前記制御シグナリング領域内に含まれる前記送信電力制御メッセージを前記移動端末装置に送信するように適合された送信ユニットと、を備える基地局。
【請求項２１】
ＯＦＤＭベースの移動通信システム内で使用するための移動端末装置であって、
基地局からサブフレームを受信するように適合された受信ユニットと、
前記受信されたサブフレーム内で、ダウンリンク・コンポーネント・キャリアの制御シグナリング領域内の複数の送信電力制御メッセージのブラインド検出を実行するように適合され、各送信電力制御メッセージは、１つが、前記移動端末装置に関するそれぞれの送信電力制御コマンドを備える複数の送信電力制御フィールドを有し、さらに前記送信電力制御メッセージ内の前記それぞれの１つの割り当てられた送信電力制御フィールドから、前記移動端末装置のために構成されたアップリンク・コンポーネント・キャリアに関する前記送信電力制御コマンドを決定するようにさらに適合された処理ユニットと、
前記送信電力制御コマンドを、前記移動端末装置のために構成された前記アップリンク・コンポーネント・キャリア上のアップリンク伝送に適用するように適合された送信電力制御ユニットと、を備える移動端末装置。
【発明の詳細な説明】
【技術分野】
【０００１】
本発明は、複数のコンポーネント・キャリアのコンポーネント・キャリア・アグリゲーションを使用するＯＦＤＭベースの移動通信システムにおいて、基地局からグループの移動端末装置への送信電力制御コマンドを送受信するための方法に関する。さらに、本発明は、ハードウェアおよびソフトウェアにおけるこれらの方法の実施に関する。
【背景技術】
【０００２】
＜ＬＴＥ（ロングターム・エボリューション）＞
３Ｇ（第３世代移動システム）ベースのＷＣＤＭＡ無線アクセス技術が、世界中で大規模に展開されている。この技術を強化する、または発展させる第１のステップは、高い競争力のある無線アクセス技術をもたらす、ＨＳＤＰＡ（高速ダウンリンク・パケット・アクセス）、および、ＨＳＵＰＡ（高速アップリンク・パケット・アクセス）とも呼ばれる拡張アップリンクを導入することを必要とする。
【０００３】
さらに高まるユーザ要求に備えるために、さらに新たな無線アクセス技術に対する競争力を持つために、３ＧＰＰは、ＬＴＥ（ロングターム・エボリューション）と呼ばれる新たな移動通信システムを導入した。ＬＴＥは、今後１０年間、高速のデータおよびメディアのトランスポート、ならびに大容量音声サポートを求める通信事業者ニーズを満たすように設計されている。高ビットレートを提供可能であることは、ＬＴＥにとって重要な評価基準である。
【０００４】
発展型ＵＴＲＡ（ＵＭＴＳ地上無線アクセス）およびＵＴＲＡＮ（ＵＭＴＳ地上無線アクセス・ネットワーク）と呼ばれるＬＴＥ（ロングターム・エボリューション）に関するＷＩ（作業項目）規格が、リリース８（ＬＴＥ）としてまとめられることになっている。ＬＴＥシステムは、待ち時間が短く費用が安いフルＩＰベースの機能を提供する、効率的なパケット・ベースの無線アクセスおよび無線アクセス・ネットワークを代表する。詳細なシステム要件が挙げられている。ＬＴＥでは、所与のスペクトルを使用して柔軟性のあるシステム展開を実現するために、１．４ＭＨｚ、３．０ＭＨｚ、５．０ＭＨｚ、１０．０ＭＨｚ、１５．０ＭＨｚ、２０．０ＭＨｚなどのスケーラブルな複数の伝送帯域幅が指定されている。ダウンリンクでは、シンボル・レートが低いためＭＰＩ（マルチパス干渉）に本来的に耐性があること、ＣＰ（サイクリック・プレフィックス）を使用すること、および様々な伝送帯域幅構成と相性が良いことから、ＯＦＭＤ（直交周波数分割多重化）ベースの無線アクセスが採用された。アップリンクでは、ＵＥ（ユーザ機器）の限られた送信電力を考慮して、ピーク・データレートの向上よりも広域カバレッジのプロビジョニングが優先されたことから、ＳＣ−ＦＤＭＡ（シングル・キャリア周波数分割多元接続）ベースの無線アクセスが採用された。ＬＴＥ（リリース８）において、ＭＩＭＯ（多入力多出力）チャネル伝送技術を含め、多くの重要なパケット無線アクセス技術が使用されており、さらに非常に効率的な制御シグナリング構造が用いられている。
【０００５】
＜ＬＴＥ構成＞
全体的な構成を、図１に示し、Ｅ−ＵＴＲＡＮ構成のより詳細な図を、図２に示す。Ｅ−ＵＴＲＡＮは、ＵＥ（ユーザ機器）に向けてＥ−ＵＴＲＡユーザ・プレーン（ＰＤＣＰ／ＲＬＣ／ＭＡＣ／ＰＨＹ）プロトコル終端および制御プレーン（ＲＲＣ）プロトコル終端をもたらすｅノードＢからなる。ｅＮＢ（ｅノードＢ）は、ＰＨＹ（物理）レイヤ、ＭＡＣ（媒体アクセス制御）レイヤ、ＲＬＣ（無線リンク制御）レイヤ、および、ユーザ・プレーンのヘッダ圧縮および暗号化の機能を含むＰＤＣＰ（パケット・データ制御プロトコル）レイヤをホストする。また、ｅＮＢは、制御プレーンに対応するＲＲＣ（無線リソース制御）機能も提供する。ｅＮＢは、無線リソース管理、受付制御、スケジューリング、ネゴシエートされたアップリンクＱｏＳ（サービス品質）の実施、セル情報ブロードキャスト、ユーザ・プレーン・データおよび制御プレーン・データの暗号化／解読、およびダウンリンク／アップリンク・ユーザ・プレーン・パケット・ヘッダの圧縮／伸張を含む、多くの機能を実行する。それらのｅノードＢは、Ｘ２インターフェースによって互いに接続される。
【０００６】
また、ｅノードＢは、Ｓ１インターフェースによってＥＰＣ（発展型パケット・コア）にも接続され、より具体的には、Ｓ１−ＭＭＥによってＭＭＥ（移動管理エンティティ）に、さらにＳ１−ＵによってＳＧＷ（サービング・ゲートウェイ）に、接続される。Ｓ１インターフェースは、ＭＭＥ／サービング・ゲートウェイとｅノードＢの間の多対多関係をサポートする。ＳＧＷは、ｅノードＢ間ハンドオーバ中にユーザ・プレーンに関するモビリティアンカの役割をし、さらにＬＴＥ技術と他の３ＧＰＰ技術（Ｓ４インターフェースを終端させ、さらに２Ｇ／３ＧシステムとＰＤＮ  ＧＷの間でトラフィックを中継する）の間のモビリティアンカの役割もしながら、ユーザ・データ・パケットをルーティングし、さらに転送する。アイドル状態のユーザ機器に関して、ＳＧＷは、ダウンリンク・データ・パスを終端させ、さらにユーザ機器のためにダウンリンク・データが着信すると、ページングをトリガする。ＳＧＷは、ユーザ機器コンテキスト、例えば、ＩＰベアラ・サービスのパラメータやネットワーク内部ルーティング情報を管理し、さらに格納する。また、ＳＧＷは、合法的傍受の場合にユーザ・トラフィックのレプリケートを実行する。
【０００７】
ＭＭＥは、ＬＴＥアクセス・ネットワークに関する重要な制御ノードである。ＭＭＥは、再送を含む、アイドル・モードユーザ機器追跡およびページング手順を担う。ＭＭＥは、ベアラ活性化／不活性化プロセスに関与し、初期アタッチ時、およびＣＮ（コア・ネットワーク）ノード移転がかかわるＬＴＥ内ハンドオーバの時点で、ユーザ機器のためにＳＧＷを選択することも担う。ＭＭＥは、ユーザを認証することを（ＨＳＳと対話することによって）担う。ＮＡＳ（非アクセス・レイヤ）シグナリングが、ＭＭＥに終端し、さらにＮＡＳは、ユーザ機器に一時識別子を生成して、割り当てることも担う。ＮＡＳは、ユーザ機器がサービス・プロバイダのＰＬＭＮ（公共陸線移動体ネットワーク）にキャンプオンする許可を調べ、ユーザ機器ローミング制限を実施する。ＭＭＥは、ＮＡＳシグナリングに関する暗号化／完全性保護のためのネットワークにおける終端ポイントであり、さらにセキュリティ鍵管理を扱う。シグナリングの合法的傍受も、ＭＭＥによってサポートされる。また、ＭＭＥは、Ｓ３インターフェースがＳＧＳＮからＭＭＥに終端して、ＬＴＥアクセス・ネットワークと２Ｇ／３Ｇアクセス・ネットワークの間の移動に関する制御プレーン機能も提供する。また、ＭＭＥは、ローミング・ユーザ機器に関するホームＨＳＳに向けてのＳ６ａインターフェースを終端させる。
【０００８】
＜ＬＴＥ（リリース８）におけるコンポーネント・キャリア構造＞
３ＧＰＰ  ＬＴＥ（リリース８）のダウンリンク・コンポーネント・キャリアは、時間周波数領域で、いわゆるサブフレームに細分される。３ＧＰＰ  ＬＴＥ（リリース８）において、各サブフレームは、２つのダウンリンク・スロットに分割され、第１のダウンリンク・スロットは、第１のＯＦＤＭシンボル内の制御チャネル領域（ＰＤＣＣＨ領域）を備える。各サブフレームは、時間領域における所与の数のＯＦＤＭシンボル（３ＧＰＰ  ＬＴＥ（リリース８）において１２または１４のＯＦＤＭシンボル）からなり、ＯＦＤＭシンボルのそれぞれは、コンポーネント・キャリアの帯域幅全体にわたる。このため、ＯＦＤＭシンボルはそれぞれ、図４にも示すとおり、それぞれの
【数１】
0005844743.tif 000002
個のサブキャリア上で伝送されるいくつかの変調シンボルからなる。
【０００９】
例として、３ＧＰＰの「ロングターム・エボリューション」作業項目において説明される、例えば、ＯＦＤＭを使用するマルチキャリア通信システムを想定すると、スケジューラによって割り当てられることが可能なリソースの最小単位は、１「リソース・ブロック」である。物理的リソース・ブロックは、図４に例示するとおり、時間領域における
【数２】
0005844743.tif 000003
個の連続するＯＦＤＭシンボル、および周波数領域における
【数３】
0005844743.tif 000004
個の連続するサブキャリアとして定義される。このため、３ＧＰＰ  ＬＴＥ（リリース８）では、物理的リソース・ブロックは、時間領域における１スロット、および周波数領域における１８０ｋＨｚに相当する、
【数４】
0005844743.tif 000005
個のリソース要素からなる（ダウンリンク・リソース・グリッドに関するさらなる詳細については、ｈｔｔｐ：／／ｗｗｗ．３ｇｐｐ．ｏｒｇで利用可能であり、さらに参照により本明細書に組み込まれている、３ＧＰＰ  ＴＳ３６．２１１、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）」、バージョン８．７．０、セクション６．２を参照されたい）。
【００１０】
＜ダウンリンク物理チャネルの全体的な構造＞
３ＧＰＰ  ＴＳ３６．２１１、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）」、バージョン８．７．０、２００９年３月、セクション６．３（ｈｔｔｐ：／／ｗｗｗ．３ｇｐｐ．ｏｒｇで利用可能であり、さらに参照により本明細書に組み込まれている）による一般的なダウンリンクＬＴＥベースバンド信号処理を、図６に例示する。ＬＴＥダウンリンクに関するさらなる詳細は、３ＧＰＰ  ＴＳ３６．２１１、セクション６で見ることができる。符号化されたビットのブロックが、最初にスクランブルされる。２つまでの符号語が、１つのサブフレーム内で伝送され得る。
【００１１】
一般に、符号化されたビットをスクランブルすることは、受信側の復号が、チャネル符号によってもたらされる処理利得を完全に利用することができることを確実にするのに役立つ。各符号語に関して、隣接セルに関して異なるスクランブル系列を適用することによって、干渉する信号がランダム化されて、チャネル符号によってもたらされる処理利得の完全な利用が確実になる。スクランブルされたビットは、各符号語に関するデータ変調器を使用して、複素変調シンボルのブロックに変換される。ＬＴＥダウンリンクによってサポートされる変調方式のセットには、１つの変調シンボル当り２ビット、４ビット、および６ビットに対応する、ＱＰＳＫ、１６ＱＡＭ、および６４ＱＡＭが含まれる。
【００１２】
レイヤ・マッピングおよびプリコーディングが、ＭＩＭＯアプリケーションと関係する。伝送されるべき符号語の各符号語に関する複素値の変調シンボルが、１つのレイヤ、またはいくつかのレイヤにマップされる。ＬＴＥは、４つまでの送信アンテナをサポートする。アンテナ・マッピングは、送信ダイバーシティ、ビーム形成、および空間多重化を含め、マルチアンテナ方式をもたらす様々な方法で構成され得る。さらに、リソース・ブロック・マッパが、各アンテナ上で送信されるべきシンボルを、送信のためにスケジューラによって割り当てられたリソース・ブロックのセット上のリソース要素にマップする。リソース・ブロックの選択は、チャネル品質情報に依存する。
【００１３】
ダウンリンク制御シグナリングが、以下の３つの物理チャネルによって実行される。すなわち、
−  サブフレーム内で制御シグナリングのために使用されるＯＦＤＭシンボルの数（すなわち、制御チャネル領域のサイズ）を示すＰＣＦＩＣＨ
−  ＵＬデータ伝送に関連するダウンリンクＡＣＫ／ＮＡＣＫを伝送するＰＨＩＣＨ
−  ダウンリンク・スケジューリング割当て、およびアップリンク・スケジューリング割当てを伝送するＰＤＣＣＨ。
【００１４】
＜３ＧＰＰ  ＬＴＥにおけるダウンリンク受信＞
アップリンクおよびダウンリンクで１回だけのコンポーネント・キャリアが存在する３ＧＰＰ  ＬＴＥ（リリース８）において、ＰＣＦＩＣＨが、既知の変調−符号化方式を使用して、ダウンリンク・サブフレームの制御シグナリング領域内の既知の位置で送信される。ユーザ機器に割り当てられるダウンリンク・リソースの決定は、サブフレームの制御シグナリング領域のサイズ、すなわち、所与のサブフレーム内で制御シグナリングのために使用されるＯＦＤＭシンボルの数に依存するので、ユーザ機器は、シグナリングされたＰＣＦＩＣＨ値、すなわち、サブフレーム内で制御シグナリングのために使用されたＯＦＤＭシンボルの実際の数を獲得するために、ＰＣＦＩＣＨを復号する必要がある。
【００１５】
ユーザ機器が、ＰＣＦＩＣＨを復号することができない、または誤ったＰＣＦＩＣＨ値を獲得した場合、このＰＣＦＩＣＨ検出誤りは、ユーザ機器が、制御シグナリング領域内に含まれるＬ１／Ｌ２制御シグナリング（ＰＤＣＣＨ）を正しく復号することができないことをもたらし、したがって、制御シグナリング領域内に含まれるすべてのリソース割当てが失われる。
【００１６】
＜ＰＤＣＣＨ（物理ダウンリンク制御チャネル）割当て＞
ＰＤＣＣＨ（物理ダウンリンク制御チャネル）は、ダウンリンク・データ伝送またはアップリンク・データ伝送にリソースを割り当てるためのスケジューリング許可を担持する。各スケジューリング許可は、ＣＣＥ（制御チャネル要素）に基づいて定義される。各ＣＣＥは、ＲＥ（リソース要素）のセットに対応する。３ＧＰＰ  ＬＴＥにおいて、１つのＣＣＥは、９個のＲＥＧ（リソース要素グループ）からなり、ただし、１つのＲＥＧは、４つのＲＥからなる。
【００１７】
ＰＤＣＣＨは、サブフレーム内の最初の１つから３つのＯＦＤＭシンボル上で伝送される。ＰＤＳＣＨ（物理ダウンリンク共有チャネル）上のダウンリンク許可に関して、ＰＤＣＣＨは、同一のサブフレーム内の（ユーザ）データにＰＤＳＣＨリソースを割り当てる。サブフレーム内のＰＤＣＣＨ制御チャネル領域は、ＣＣＥのセットからなり、ただし、サブフレームの制御領域内の総数のＣＣＥは、時間および周波数の制御リソース全体にわたって分布する。複数のＣＣＥが、制御チャネルの符号化レートを効果的に低減するように組み合わされることが可能である。ＣＣＥは、ツリー構造を使用して、所定の方法で組み合わされて、異なる符号化レートが実現される。
【００１８】
３ＧＰＰ  ＬＴＥにおいて、ＰＤＣＣＨが、１つ、２つ、４つ、または８つのＣＣＥを集約することが可能である。制御チャネル割当てに利用可能なＣＣＥの数は、キャリア帯域幅、送信アンテナの数、制御のために使用されるＯＦＤＭシンボルの数、およびＣＣＥサイズなどを含め、いくつかの要因に依存する。複数のＰＤＣＣＨが、サブフレーム内で伝送され得る。
【００１９】
トランスポート・チャネル・レベルで、ＰＤＣＣＨを介して伝送される情報は、Ｌ１／Ｌ２制御シグナリングとも呼ばれる。Ｌ１／Ｌ２制御シグナリングは、各ＵＥ（ユーザ機器）に関してダウンリンクで伝送される。この制御シグナリングは、通常、（ユーザ割当てがサブフレームごとに変わり得るものと想定して）サブフレーム内でダウンリンク（ユーザ）データと多重化される。一般に、ユーザ割当ては、ＴＴＩ長（時間領域における）が１つまたは複数のサブフレームと均等であるＴＴＩ（伝送時間間隔）をベースとして実行されることも可能であることに留意されたい。ＴＴＩ長は、すべてのユーザに関してサービスエリア内で固定であってもよく、異なるユーザに関して異なってもよく、さらには各ユーザに関して動的であってもよい。一般に、Ｌ１／Ｌ２制御シグナリングは、１つのＴＴＩにつき１回、伝送されるだけでよい。
【００２０】
さらに、Ｌ１／Ｌ２制御シグナリング上で送信されるＰＤＣＣＨ情報は、ＳＣＩ（共有制御情報）とＤＣＩ（個別制御情報）に分離されることが可能である。ＤＣＩという頭字語は、ダウンリンク制御情報も指すこともあることに留意されたい。
【００２１】
ＤＣＩは、ダウンリンクもしくはアップリンクのスケジューリング情報、または１つのＲＮＴＩ（無線ネットワーク端末装置識別子）に関するアップリンク電力制御コマンドをトランスポートする。ＲＮＴＩは、データまたは情報を特定のユーザ機器に宛てるためにＬＴＥにおいて一般的に使用される、一意の識別子である。ＲＮＴＩは、ＲＮＴＩでＤＣＩの符号化されたペイロード・データのＣＲＣをマスクすることによって、ＤＣＩに暗黙に含められる。ユーザ機器側で、データのペイロード・サイズの復号が成功した場合、ユーザ機器は、「アンマスクされた」（すなわち、ＲＮＴＩを使用するマスクが取り除かれた後の）ＣＲＣを使用する復号されたペイロード・データに対するＣＲＣが成功したかどうかを調べることによって、ＤＣＩがそのユーザ機器を宛先とすることを検出する。ＣＲＣ符号のマスクは、ＣＲＣをＲＮＴＩでスクランブルすることによって実行されることに留意されたい。
【００２２】
３ＧＰＰ  ＬＴＥ（リリース８）において、以下の異なるＤＣＩフォーマットが定義される。すなわち、
−  アップリンクＤＣＩフォーマット
・  ＵＬ  ＳＣＨ割当ての伝送のために使用されるフォーマット０
・  フォーマット３が、２ビット電力調整を有するＰＵＣＣＨおよびＰＵＳＣＨに関するＴＰＣコマンドの伝送のために使用される（複数のＵＥがアドレス指定される）
・  フォーマット３Ａが、単一ビット電力調整を有するＰＵＣＣＨおよびＰＵＳＣＨに関するＴＰＣコマンドの伝送のために使用される（複数のＵＥがアドレス指定される）
−  ダウンリンクＤＣＩフォーマット
・  ＳＩＭＯ動作に関するＤＬ  ＳＣＨ割当ての伝送のために使用されるフォーマット１
・  ＳＩＭＯ動作に関するＤＬ  ＳＣＨ割当てのコンパクト伝送のために使用されるフォーマット１Ａ
・場合により、隣接するリソース割当てで閉ループ単一ランク伝送をサポートするのに使用されるフォーマット１Ｂ
・  フォーマット１Ｃは、ページング、ＲＡＣＨ応答、および動的ＢＣＣＨスケジューリングのダウンリンク伝送を目的とする
・  フォーマット１Ｄは、プリコーディングおよび電力オフセット情報を用いた１つのＰＤＳＣＨ符号語のコンパクト・スケジューリングのために使用される
・  フォーマット２は、閉ループＭＩＭＯ動作に関するＤＬ−ＳＣＨ割当ての伝送のために使用される
・  フォーマット２Ａは、開ループＭＩＭＯ動作に関するＤＬ−ＳＣＨ割当ての伝送のために使用される
【００２３】
ダウンリンクにおけるＬＴＥ物理チャネル構造、およびＰＤＳＣＨフォーマットおよびＰＤＣＣＨフォーマットに関するさらなる詳細については、Ｓｔｅｆａｎｉａ  Ｓｅｓｉａら、「ＬＴＥ−Ｔｈｅ  ＵＭＴＳ  Ｌｏｎｇ  Ｔｅｒｍ  Ｅｖｏｌｕｔｉｏｎ」、Ｗｉｌｅｙ  ＆  Ｓｏｎｓ  Ｌｔｄ．、ＩＳＢＮ９７８−０−４７０６９７１６−０、２００９年４月、セクション６および９を参照されたい。
【００２４】
＜ユーザ機器におけるＰＤＣＣＨのブラインド復号＞
３ＧＰＰ  ＬＴＥ（リリース８）において、ユーザ機器が、いわゆる「ブラインド復号」を使用してＰＤＣＣＨ内のＤＣＩを検出しようと試みる。このことは、ダウンリンクでシグナリングされるＰＤＣＣＨに関して、ＣＣＥ集約サイズまたは変調−符号化方式を示す関連する制御シグナリングは存在しないことを意味するが、ユーザ機器は、ＣＣＥ集約サイズおよび変調−符号化方式の可能なすべての組合せに関して試験し、さらに前述したＲＮＴＩに基づくＰＤＣＣＨの復号の成功を確認する。さらに複雑さを制限するのに、ＬＴＥコンポーネント・キャリアの制御シグナリング領域内で、ユーザ機器がＰＤＣＣＨを探索する共通の探索空間、および個別の探索空間が定義される。
【００２５】
３ＧＰＰ  ＬＴＥ（リリース８）において、ＰＤＣＣＨペイロード・サイズは、１回のブラインド復号の試行で検出される。ユーザ機器は、以下の表１で強調されるとおり、任意の構成された伝送モードに関して異なる２つのペイロード・サイズを復号しようと試みる。表１は、ＤＣＩフォーマット０、１Ａ、３、および３Ａのペイロード・サイズＸが、伝送モード構成にかかわらず同一であることを示す。その他のＤＣＩフォーマットのペイロード・サイズは、伝送モードに依存する。
【表１】
0005844743.tif 000006
【００２６】
したがって、ユーザ機器は、第１のブラインド復号の試行において、ＤＣＩのペイロード・サイズを調べることができる。さらに、ユーザ機器は、高過ぎる処理要求を回避するために、ＤＣＩフォーマットの所与のサブセットだけを探索するようにさらに構成される。
【００２７】
＜３ＧＰＰ  ＬＴＥにおけるアップリンク電力制御＞
アップリンク電力制御が、様々なアップリンク物理チャネルの送信電力を制御する。サブフレームｉ内のＰＵＳＣＨ（物理アップリンク共有チャネル）伝送に関するユーザ機器の送信電力ＰＰＵＳＣＨ（ｄＢで測定される）の設定は、以下の式によって定義される。すなわち、
【数５】
0005844743.tif 000007
【００２８】
同様に、ＰＵＣＣＨ（物理アップリンク制御チャネル）伝送に関して、送信電力制御は、
【数６】
0005844743.tif 000008
によって与えられる。ただし、ＴＰＣ（送信電力制御）コマンドとも呼ばれるＵＥごとの補正値であるδＰＵＳＣＨ（／δＰＵＣＣＨ）が、ＤＣＩフォーマット０（／ダウンリンクＤＣＩフォーマット）でＰＤＣＣＨの中に含められる、または、ＣＲＣパリティ・ビットがＴＰＣ−ＰＵＳＣＨ（／ＰＵＣＣＨ）−ＲＮＴＩでスクランブルされたＤＣＩフォーマット３／３Ａで、ＰＤＣＣＨ内に他のＴＰＣコマンドと一緒に符号化される。現在のＰＵＳＣＨ（／ＰＵＣＣＨ）電力制御調整状態は、より上位のレイヤによって与えられるＵＥごとのパラメータ、Ａｃｃｕｍｕｌａｔｉｏｎ−ｅｎａｂｌｅｄに基づいて、蓄積が可能にされる場合、以下によって定義されるｆ（ｉ）によって与えられる。すなわち、ＰＵＳＣＨに関して、
【数７】
0005844743.tif 000009
であり、ＰＵＣＣＨに関して、
【数８】
0005844743.tif 000010
である。
【００２９】
＜３ＧＰＰ  ＬＴＥにおけるＤＣＩフォーマット３／３Ａ＞
＜ＤＣＩフォーマット３＞
ＤＣＩフォーマット３は、ＰＵＣＣＨおよびＰＵＳＣＨに関するＴＰＣコマンドの伝送のために使用され、さらに２ビットのサイズを有するＴＰＣフィールド（送信電力制御フィールド）を含み、すなわち、２ビット電力調整を可能にする。ＤＣＩフォーマット３は、所与の数Ｎ個のＴＰＣフィールドからなり、各ＴＰＣフィールドは、異なるＵＥに関するＴＰＣコマンドを含む。ＵＥには、ＤＣＩフォーマット３のＰＤＣＣＨ内で１つのＴＰＣフィールドだけが割り当てられる。ＤＣＩフォーマット３の複数のＰＤＣＣＨがサブフレーム内で伝送される場合、それでも、ＵＥに割り当てられた１つのＰＤＣＣＨ内に１つだけのＴＰＣフィールドが存在する。ＤＣＩフォーマット３におけるＴＰＣフィールドの数は、
【数９】
0005844743.tif 000011
によって与えられ、ただし、Ｌｆｏｒｍａｔ０は、フォーマット０に付加されるパディング・ビットを含め、ＣＲＣ付加の前のフォーマット０（アップリンク割当てのスケジューリング）のペイロード・サイズと等しい。より上位のレイヤによって与えられるパラメータ、ｔｐｃ−ｉｎｄｅｘは、所与のユーザ機器に関するＴＰＣフィールド／コマンドに対するインデックスを決定する。もし、
【数１０】
0005844743.tif 000012
である場合、値０のビットが、フォーマット３に付加される。サブフレーム内で伝送されるフォーマット３のＤＣＩを有する複数のＰＤＣＣＨは、電力制御シグナリングのためにシステムにおいて特別に定義された（いわゆるＴＰＣ−ＲＮＴＩである）それぞれのＲＮＴＩでＣＲＣをマスクすることによって、ＵＥのグループにアドレス指定される。各ユーザ機器には、フォーマット３のＤＣＩを伝送するＰＤＣＣＨのブラインド検出の際に使用されるＴＰＣ−ＲＮＴＩのうちの１つが割り当てられる。
【００３０】
以下の表２は、３ＧＰＰ  ＬＴＥ（リリース８）において指定されるＰＵＳＣＨに関するＤＣＩフォーマット３におけるＴＰＣコマンド値のマッピングを示す。ｈｔｔｐ：／／ｗｗｗ．３ｇｐｐ．ｏｒｇで利用可能な、３ＧＰＰ  ＴＳ３６．２１２、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｍｕｌｔｉｐｌｅｘｉｎｇ  ａｎｄ  ｃｈａｎｎｅｌ  ｃｏｄｉｎｇ」、バージョン８．８．０、および３ＧＰＰ  ＴＳ３６．２１３、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ」、バージョン８．８．０を参照されたい。
【表２】
0005844743.tif 000013
【００３１】
同様なＴＰＣ値が、ＰＵＣＣＨに関しても定義される。
【００３２】
＜フォーマット３Ａ＞
ＤＣＩフォーマット３Ａは、単一ビット電力調整を有するＰＵＣＣＨおよびＰＵＳＣＨに関するＴＰＣコマンドの伝送のために使用される。構造に関して、ＳＣＩフォーマット３Ａは、ＤＣＩフォーマット３の２倍の数のＴＰＣフィールドを含むが、ＴＰＣフィールド・サイズは、ＤＣＩフォーマット３に関するＴＰＣフィールド・サイズの１／２、すなわち、１ビットだけである。このため、ＤＣＩフォーマット３Ａは、所与の数、Ｍ＝Ｌｆｏｒｍａｔ０個のＴＰＣフィールドからなり、各ＴＰＣフィールドは、異なるＵＥに関するＴＰＣコマンドを含み、ただし、Ｌｆｏｒｍａｔ０は、この場合も、フォーマット０に付加されたパディング・ビットを含め、ＣＲＣ付加の前のフォーマット０のペイロード・サイズと等しい。さらに、やはりＤＣＩフォーマット３Ａに関して、より上位のレイヤのシグナリングは、ＵＥにパラメータｔｐｃ−ｉｎｄｅｘを与え、より上位のレイヤによって与えられるｔｐｃ−ｉｎｄｅｘは、所与のユーザ機器に関するＴＰＣフィールド／コマンドに対するインデックス、およびブラインド検出のために使用すべきＴＰＣ−ＲＮＴＩを決定する。
【００３３】
以下の表３は、３ＧＰＰ  ＬＴＥ（リリース８）において指定されるＰＵＣＣＨとＰＵＳＣＨの両方に関する、ＤＣＩフォーマット３ＡにおけるＴＰＣコマンド値のマッピングを示す。
【表３】
0005844743.tif 000014
【００３４】
＜ＬＴＥに関するさらなる進展−拡張ＬＴＥ（３ＧＰＰ  ＬＴＥ−Ａ）＞
拡張ＩＭＴに関する周波数スペクトルは、２００８年１１月のＷＲＣ−０７（Ｗｏｒｌｄ  Ｒａｄｉｏ  ｃｏｍｍｕｎｉｃａｔｉｏｎ  Ｃｏｎｆｅｒｅｎｃｅ  ２００７）において決定された。拡張ＩＭＴに関する全体的な周波数スペクトルは決定されたものの、実際の利用可能な周波数帯域は、各地域または各国により異なる。しかし、利用可能な周波数スペクトルの概要の決定の後に、無線インターフェースの標準化が、３ＧＰＰ（第３世代パートナーシップ・プロジェクト）において開始した。３ＧＰＰ  ＴＳＧ  ＲＡＮ＃３９会議で、「拡張ＬＴＥ（Ｅ−ＵＴＲＡに関するさらなる進展）」に関する、「リリース１０」とも呼ばれる研究項目記述が承認された。この研究項目は、例えば、拡張ＩＭＴの要件を満たすのに、Ｅ−ＵＴＲＡの発展のために考慮されるべき技術構成要素を、対象として含む。ＬＴＥ−Ａに関して現在、考慮されている２つの主要な技術構成要素を、以下に説明する。
【００３５】
全体的なシステム帯域幅を拡張するために、ＬＴＥ−Ａ（リリース１０）は、キャリア・アグリゲーションを使用する。ただし、ＬＴＥ（リリース８）のために定義された２つ以上のコンポーネント・キャリア（前述の図３および図４を参照されたい）が、例えば、１００ＭＨｚまでのより広い伝送帯域幅をサポートするために、さらにスペクトル集約のために、集約される。単一のコンポーネント・キャリアは、２０ＭＨｚの帯域幅を超えないものと一般に想定される。
【００３６】
端末装置は、端末装置の能力に応じて、１つまたは複数のコンポーネント・キャリア上で同時に受信し、さらに／または送信することが可能である。
−  キャリア・アグリゲーションのための受信能力および／または送信能力を有する拡張ＬＴＥ（リリース１０）対応の移動端末装置は、複数のコンポーネント・キャリア上で同時に受信し、さらに／または送信することができる。１つのコンポーネント・キャリア当り１つのトランスポート・ブロック（空間多重化が存在しない状況で）、および１つのＨＡＲＱエンティティが存在する。
−  ＬＴＥ（リリース８）対応の移動端末装置は、コンポーネント・キャリアの構造がリリース８規格に準拠するという条件付きで、単一のコンポーネント・キャリア上だけで受信および送信を行うことができる。
【００３７】
また、少なくとも、アップリンクとダウンリンクでコンポーネント・キャリアの集約された数が同一である場合に、すべてのコンポーネント・キャリアをＬＴＥ（リリース８）対応に構成することも構想される。ＬＴＥ−Ａ（リリース１０）コンポーネント・キャリアの後方互換性のない構成の考慮は、排除されない。したがって、アップリンクとダウンリンクで場合により異なる帯域幅の異なる数のコンポーネント・キャリアを集約するようユーザ機器を構成することが可能である。
【００３８】
＜３ＧＰＰ  ＬＴＥ−ＡにおけるＰＤＣＣＨ構造およびクロス・キャリア・スケジューリング＞
前述したとおり、３ＧＰＰ  ＬＴＥ−Ａ（リリース１０）において、キャリア・アグリゲーション、すなわち、アップリンクおよびダウンリンクにおいて、複数のコンポーネント・キャリアがそれぞれ用いられる。クロス・キャリア・スケジューリングを利用することが現在、３ＧＰＰによって構想されており、このことは、ダウンリンク・コンポーネント・キャリアのうちの１つのキャリア上の（単一の）ＰＤＣＣＨが、複数のコンポーネント・キャリア上にダウンリンク・リソース（物理ダウンリンク共有チャネル−ＰＤＳＣＨ）またはアップリンク・リソース（物理アップリンク共有チャネル−ＰＵＳＣＨ上の）を割り当てることができることを意味する（ｈｔｔｐ：／／ｗｗｗ．３ｇｐｐ．ｏｒｇで利用可能であり、さらに参照により本明細書に組み込まれている、３ＧＰＰ  ＲＡＮ１会議ｎｏ．５８において合意された３ＧＰＰ  Ｔｄｏｃ．Ｒ１−０９４９５９、「ＴＰ  ｆｏｒ  ＴＲ３６．８１４  ｏｎ  ｄｏｗｎｌｉｎｋ  ｃｏｎｔｒｏｌ  ｓｉｇｎａｌｌｉｎｇ  ｆｏｒ  ｃａｒｒｉｅｒ  ａｇｇｒｅｇａｔｉｏｎ」を参照されたい）。クロス・キャリア・スケジューリングの使用の動機は、異種のネットワーク動作、サポート拡張キャリア動作、ＰＤＣＣＨ  ＣＣＥブロックが生じる可能性がある場合の効率的なスケジューリングなどである。
【００３９】
３ＧＰＰにおいて、（ダウンリンク）コンポーネント・キャリア上のＰＤＣＣＨが、同一のコンポーネント・キャリア上のＰＤＳＣＨリソースを割り当てること、および単一のリンクされたＵＬコンポーネント・キャリア上にＰＵＳＣＨリソースを割り当てることができることが合意されている。Ｒｅｌ−８のＰＤＣＣＨ構造（同一の符号化、同一のＣＣＥベースのリソース・マッピング）、およびＤＣＩフォーマットが、各コンポーネント・キャリア上で使用される。さらに、コンポーネント・キャリア上のＰＤＣＣＨは、ＣＩＦ（キャリア・インジケータ・フィールド）を使用して複数のコンポーネント・キャリアのうちの１つのキャリアにおけるＰＤＳＣＨリソースまたはＰＵＳＣＨリソースを割り当てるのに使用されることが可能である。ただし、３ＧＰＰ  ＬＴＥ（リリース８）ＤＣＩフォーマットは、固定の３ビット・キャリア・インジケータ・フィールドで拡張され、さらに３ＧＰＰ  ＬＴＥ（リリース８）ＰＤＣＣＨ構造（同一の符号化、同一のＣＣＥベースのリソース・マッピング）が再使用される。キャリア・インジケータ・フィールドの存在は、半静的に構成され得る。
【００４０】
送信電力制御に関して、３ＧＰＰ  ＬＴＥ（リリース８）に関して提案される機構は、３ＧＰＰ  ＬＴＥ−Ａ（リリース１０）における使用のためにいくらかの適合および最適化を必要とする可能性がある。３ＧＰＰ  ＬＴＥ−Ａ（リリース１０）においては、３ＧＰＰ  ＬＴＥ（リリース８）とは異なり、アップリンクおよびダウンリンクで複数のコンポーネント・キャリアのキャリア・アグリゲーションが使用され、このことは、電力制御のための強化されたシグナリング機構を必要とする。後段で明白となるとおり、３ＧＰＰ  ＬＴＥ（リリース８）送信電力制御の単純な再使用、すなわち、各アップリンク・コンポーネント・キャリアに関して再使用を単に実行することは、非対称的なアップリンク／ダウンリンク・キャリア・アグリゲーション、ユーザ機器によるブラインド復号の試みに対するより高い要求、および処理リソースおよび（バッテリ）電力の関係する使用、制御シグナリング・オーバーヘッドなどの点で、効率的でない。
【先行技術文献】
【非特許文献】
【００４１】
【非特許文献１】３ＧＰＰ  ＴＳ３６．２１１、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）」、バージョン８．７．０、セクション６．２
【非特許文献２】３ＧＰＰ  ＴＳ３６．２１１、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  Ｃｈａｎｎｅｌｓ  ａｎｄ  Ｍｏｄｕｌａｔｉｏｎ（Ｒｅｌｅａｓｅ  ８）」、バージョン８．７．０、２００９年３月、セクション６．３
【非特許文献３】Ｓｔｅｆａｎｉａ  Ｓｅｓｉａら、「ＬＴＥ−Ｔｈｅ  ＵＭＴＳ  Ｌｏｎｇ  Ｔｅｒｍ  Ｅｖｏｌｕｔｉｏｎ」、Ｗｉｌｅｙ  ＆  Ｓｏｎｓ  Ｌｔｄ．、ＩＳＢＮ９７８−０−４７０６９７１６−０、２００９年４月、セクション６および９
【非特許文献４】３ＧＰＰ  ＴＳ３６．２１２、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｍｕｌｔｉｐｌｅｘｉｎｇ  ａｎｄ  ｃｈａｎｎｅｌ  ｃｏｄｉｎｇ」、バージョン８．８．０
【非特許文献５】３ＧＰＰ  ＴＳ３６．２１３、「Ｅｖｏｌｖｅｄ  Ｕｎｉｖｅｒｓａｌ  Ｔｅｒｒｅｓｔｒｉａｌ  Ｒａｄｉｏ  Ａｃｃｅｓｓ（Ｅ−ＵＴＲＡ）；Ｐｈｙｓｉｃａｌ  ｌａｙｅｒ  ｐｒｏｃｅｄｕｒｅｓ」、バージョン８．８．０
【非特許文献６】３ＧＰＰ  Ｔｄｏｃ．Ｒ１−０９４９５９、「ＴＰ  ｆｏｒ  ＴＲ３６．８１４  ｏｎ  ｄｏｗｎｌｉｎｋ  ｃｏｎｔｒｏｌ  ｓｉｇｎａｌｌｉｎｇ  ｆｏｒ  ｃａｒｒｉｅｒ  ａｇｇｒｅｇａｔｉｏｎ」
【発明の概要】
【発明が解決しようとする課題】
【００４２】
本発明の目的の１つは、アップリンクでキャリア・アグリゲーションを使用するＯＦＤＭベースの移動通信システムにおいて送信電力制御コマンドをシグナリングするための、効率的な方式を示唆することである。すなわち、アップリンクでキャリア・アグリゲーションを使用する移動通信システムに３ＧＰＰ  ＬＴＥ（リリース８）送信電力制御を拡張することの、前述した潜在的な欠点の１つに関して、少なくともより効率的である送信電力制御シグナリング方式を見出すことは、有益である。
【課題を解決するための手段】
【００４３】
この目的は、独立請求項の主題によって解決される。本発明の有利な実施形態は、従属請求項の対象である。
【００４４】
本発明の第１の態様によれば、移動端末装置（３ＧＰＰ用語でユーザ機器と呼ばれる）のために構成されたアップリンク・コンポーネント・キャリアに関する（複数の）送信電力制御コマンドが、１つの送信電力制御メッセージ内で移動端末装置に与えられる。３ＧＰＰベースのシステムにおいてこの態様を実施する際、電力制御メッセージは、例えば、３ＧＰＰ  ＬＴＥ（リリース８）に関するＤＣＩフォーマット３／３Ａに基づくフォーマットのＤＣＩを伝送するＰＤＣＣＨであることが可能であるが、各ＤＣＩが、所与の移動端末装置に関する複数のＴＰＣコマンドを備えることが可能である。さらに、送信電力制御メッセージは、ダウンリンク・コンポーネント・キャリアの制御シグナリング領域（すなわち、制御情報を伝送するのに個別のサブフレーム内の所与の数のＯＦＤＭシンボル）内でシグナリングされる。基地局によるサービスを受けるグループの移動端末装置に、送信電力制御メッセージ内でそれぞれの複数の送信電力制御フィールドが割り当てられる。
【００４５】
この第１の態様に沿って、本発明の一実施形態は、複数のコンポーネント・キャリアのコンポーネント・キャリア・アグリゲーションを使用するＯＦＤＭベースの移動通信システムにおいて基地局からグループの移動端末装置への送信電力制御コマンドを送信するための方法を提供することである。基地局は、複数の送信電力制御フィールドを有する送信電力制御メッセージを生成する。送信電力制御メッセージのこれらの送信電力制御フィールドの複数が、異なる移動端末装置にそれぞれ割り当てられ、さらに各移動端末装置に割り当てられた複数の送信電力制御フィールドが、それぞれの移動端末装置によって集約されるそれぞれのアップリンク・コンポーネント・キャリアに関する送信電力コマンドをシグナリングするために使用される。基地局は、ダウンリンク・コンポーネント・キャリアの制御シグナリング領域に送信電力制御メッセージをマップし、さらに、サブフレーム内で、ダウンリンク・コンポーネント・キャリアの制御シグナリング領域内に含まれる送信電力制御メッセージを移動端末装置にさらに送信する。
【００４６】
このようにして、所与のグループの移動端末装置のうちのそれぞれの移動端末装置の異なるアップリンク・コンポーネント・キャリアの送信電力制御が可能である。このことは、１つの移動端末装置に割り当てられる送信電力制御フィールドの数が、その移動端末装置のために構成されるアップリンク・コンポーネント・キャリアの数以下でなければならないことを意味する。
【００４７】
前述したとおり、グループの移動端末装置のうちの異なる移動端末装置に、メッセージ内のそれぞれの複数の送信電力制御フィールドが割り当てられる。本発明のさらなる実施形態によれば、基地局は、グループの移動端末装置のうちの移動端末装置に割当てメッセージを送信している。それぞれの割当てメッセージは、このグループのそれぞれの移動端末装置に送信され得ることに留意されたい。各割当てメッセージは、それぞれの移動端末装置を、送信電力制御メッセージの複数の送信電力制御フィールドのそれぞれの複数のフィールドに割り当て、さらに／または複数の一時識別子のうちの１つを移動端末装置に割り当てる、割当て情報を含む。例えば、割当てメッセージは、より上位のレイヤのシグナリング・メッセージ、例えば、ＲＲＣ（無線リソース制御）レイヤ／プロトコルのメッセージである。割当てメッセージは、送信電力制御フィールドの割当ての構成および再構成のために使用され得ることにさらに留意されたい。
【００４８】
それぞれの移動端末装置に対する送信電力制御フィールドの割当てを円滑にするのに、それぞれのフィールドが、例えば、インデックスによって識別されることも可能である。本発明のさらなる実施形態において、割当てメッセージは、（それぞれの）移動端末装置に割り当てられた送信電力制御メッセージ内の送信電力制御フィールドのインデックスを示す。
【００４９】
前述したとおり、所与の移動端末装置に割り当てられる送信電力制御フィールドの数は、移動端末装置のための構成されるアップリンク・コンポーネント・キャリアの数より少ないことが可能である。本発明の別の実施形態では、（送信電力制御メッセージが関係する所与のグループの移動端末装置の）移動端末装置によって集約されるアップリンク・コンポーネント・キャリアは、キャリアのグループ（サブセット）にグループ化される。後段で概説するとおり、キャリアのこのグループ化は、移動端末装置に電力制御コマンドを与えるためのシグナリング・フォーマットとは独立である、本発明の（第３の）別の態様である。この実施形態において、基地局は、それぞれ移動端末装置のキャリアの各グループに関して、それぞれの移動端末装置に関するキャリア・グループ送信電力制御コマンドを決定する。各キャリア・グループ送信電力制御コマンドは、それぞれの移動端末装置によって、キャリアのそれぞれのグループに属するアップリンク・コンポーネント・キャリア上のアップリンク伝送に適用されるべき送信電力コマンドである。基地局は、移動端末装置に割り当てられた複数の送信電力制御フィールドのうちの１つに対するそれぞれの移動端末装置に関するキャリア・グループ送信電力制御を、送信電力制御メッセージ内に含める。
【００５０】
移動端末装置のキャリアのグループに関するそのようなキャリア・グループ送信電力制御コマンドの使用は、例えば、単一の送信電力制御コマンドによる同様の電力制御を経験すべき（例えば、同一のレベルの干渉を経験することにより）移動端末装置のアップリンク・コンポーネント・キャリアを電力制御することによって、制御シグナリング・オーバーヘッドを小さくするという点で、有利であり得る。所与の端末装置のために構成されるコンポーネント・キャリアのグループ化は、例えば、以下のパラメータのうちの少なくとも１つに依存することも可能である。すなわち、
−  割り当てられたアップリンク・コンポーネント・キャリア上の干渉条件および電力レベル、
−  割り当てられたアップリンク・コンポーネント・キャリア上のチャネル品質、
−  割り当てられたアップリンク・コンポーネント・キャリアの帯域幅、
−  アップリンク・コンポーネント・キャリアに関する負荷分散機能のステータス、
−  基地局において利用可能な移動端末装置に関する送信電力制御フィールドの数、
−  基地局において利用可能なＴＰＣ  ＲＮＴＩの数、
−  割り当てられたアップリンク・コンポーネント・キャリアのタイプ、例えば、アップリンク・アンカ・キャリア、および
−  割り当てられたアップリンク・コンポーネント・キャリア上で移動端末装置によってシグナリングされるべきダウンリンク・データ伝送に対応するＡＣＫ／ＮＡＣＫの数。
【００５１】
さらに、別の実施形態において、１つの送信電力制御コマンドが、アップリンクでユーザ機器のために構成されたすべてのコンポーネント・キャリアの送信電力を一緒に制御するのに使用されることが構想される。送信電力制御メッセージ内の残りの送信電力制御フィールドは、例えば、移動端末装置の選択されたアップリンク・コンポーネント・キャリア（またはそのようなコンポーネント・キャリアのグループ）の送信電力を微調整するのに使用され得る。この実施形態の１つの例示的な実装形態において、キャリア・グループ送信制御電力コマンドのうちの１つが、移動端末装置のために構成されたすべてのアップリンク・コンポーネント・キャリア上の伝送に関して、その１つの移動端末装置によって使用される送信電力を制御する全キャリア送信電力制御コマンドであることも可能である。
【００５２】
さらに詳細には、１つの移動端末装置に割り当てられた送信電力制御メッセージ内の複数の送信電力制御フィールドのうちの１つが、例えば、移動端末装置のために構成されたすべてのアップリンク・コンポーネント・キャリアに関して送信電力制御コマンドをシグナリングしていることが可能であり、さらに送信電力制御メッセージのその他の１つまたは複数の送信電力制御フィールドが、移動端末装置のために構成されたアップリンク・コンポーネント・キャリアのサブセットに関する送信電力制御コマンドをシグナリングしている。全キャリア送信電力制御コマンドは、基地局によって、例えば、送信電力制御メッセージ内のそれぞれ１つの移動端末装置に割り当てられた第１の送信電力制御フィールド内に含められることが可能である。このことは、例えば、それぞれのタイプの送信電力制御コマンドに関する送信電力制御メッセージ内の電力制御フィールドの使用が、移動端末装置にシグナリングされなくてもよく、移動端末装置および基地局に知られているので、有利であり得る。
【００５３】
本発明のさらなる実施形態において、基地局が、送信電力制御メッセージの送信電力制御フィールドのためのＣＲＣ符号を生成している。このＣＲＣ符号は、その後、送信電力制御のために定義された移動端末装置のグループに共通する複数の一時識別子のうちの１つで、基地局によってマスクされて、マスクされたＣＲＣ符号が獲得される。このマスクされたＣＲＣ符号は、次に、基地局によって、送信電力制御メッセージが伝送のためにダウンリンク・コンポーネント・キャリアの制御シグナリング領域にマップされるのに先立って、送信電力制御メッセージのＣＲＣフィールドに含められる。
【００５４】
サービスを受け、さらに電力制御されるべき移動端末装置の総数に依存して、このことは、基地局（３ＧＰＰ用語でｅノードＢと呼ばれる）が、ダウンリンクでそれぞれのグループの移動端末装置に関する複数の送信電力制御メッセージをシグナリングする必要がある可能性があることを暗示し得る。したがって、やはり本発明の第１の態様に沿った本発明のさらなる実施形態において、基地局は、所与のサブフレーム内で、ダウンリンク・コンポーネント・キャリアの制御シグナリング領域内の様々なグループの移動端末装置のための複数の送信電力制御メッセージを生成し、送信する。これらの送信電力制御メッセージのそれぞれは、送信電力制御のために定義された移動端末装置のグループに共通である複数の一時識別子のうちの異なる１つでマスクされた、マスクされたＣＲＣを含む。
【００５５】
この実施形態のより詳細な実装形態において、基地局は、例えば、ＲＲＣシグナリングなどの、より上位のレイヤのシグナリングによって移動端末装置の様々な共通の探索空間、および／または個別の探索空間をさらに構成する。移動端末装置の探索空間は、移動端末装置が、制御情報（送信電力制御メッセージを含む）のブラインド検出を実行すべきサブフレーム内の制御シグナリング領域の一部分を定義する。基地局は、各送信電力制御メッセージを、それぞれの送信電力制御メッセージ内で送信電力制御フィールドを割り当てられた移動端末装置の探索空間内に含まれるダウンリンク・コンポーネント・キャリアの制御シグナリング領域の一部分にマップする。
【００５６】
前述の様々な実施形態による様々な実施例は、基地局の動作を参照したが、やはり本発明の第１の態様に沿った本発明の他の実施形態は、移動端末装置の動作と関係する。したがって、本発明の１つのさらなる実施形態は、ＯＦＤＭベースの移動通信システム内の移動端末装置のアップリンク・コンポーネント・キャリアの送信電力制御のための方法を提供する。この方法において、移動端末装置は、基地局からサブフレームを受信し、さらに、受信されたサブフレーム内で、ダウンリンク・コンポーネント・キャリアの制御シグナリング領域内の送信電力制御メッセージのブラインド検出を実行する。送信電力制御メッセージは、複数の送信電力制御フィールドを有する。送信電力制御メッセージ内の複数の送信電力制御フィールドが、移動端末装置に割り当てられ、さらに移動端末装置によって集約されるアップリンク・コンポーネント・キャリアに関する送信電力コマンドを含む。移動端末装置は、送信電力制御メッセージ内の複数の送信電力制御フィールドから移動端末装置のアップリンク・コンポーネント・キャリアに関する送信電力制御コマンドを決定し、さらにそれらの送信電力制御コマンドを、移動端末装置に関して集約されるアップリンク・コンポーネント・キャリア上のアップリンク伝送に適用する。
【００５７】
本発明のさらなる実施形態において、移動端末装置は、送信電力制御メッセージ内の複数の送信電力制御フィールド、および／またはその移動端末装置を含む複数の移動端末装置に共通であり、さらに送信電力制御のために定義された複数の一時識別子のうちの１つを、その移動端末装置に割り当てる基地局から、より上位のレイヤのシグナリング・メッセージ、例えば、ＲＲＣメッセージを受信する。
【００５８】
本発明の別の実施形態において、移動端末装置は、送信電力制御メッセージのＣＲＣフィールドからマスクされたＣＲＣ符号を獲得しており、その移動端末装置を含む複数の移動端末装置に共通であり、さらに送信電力制御のために定義された複数の一時識別子のうちの１つで、マスクされたＣＲＣ符号をマスク解除して、その結果、ＣＲＣ符号を獲得している。さらに、移動端末装置は、そのＣＲＣ符号に基づいて、送信電力制御メッセージのブラインド検出の成功を検証する。
【００５９】
さらなる実施形態において、移動端末装置は、基地局から、移動端末装置が、送信電力制御メッセージを含む制御情報のブラインド復号を実行すべきサブフレーム内の制御シグナリング領域の一部分を定義する共通の探索空間、および／または個別の探索空間を示す、ＲＲＣメッセージなどの、より上位のレイヤのシグナリング・メッセージを受信する。
【００６０】
本発明の第２の態様は、移動端末装置のアップリンク・コンポーネント・キャリアに関する送信電力制御コマンドの別のシグナリング・フォーマットと関係する。この第２の態様によれば、所与の移動端末装置に伝送されるべき送信電力コマンドは、様々な送信電力制御メッセージの中にそれぞれ含められ、したがって、１つの送信電力制御コマンドが、それぞれの１つの送信電力制御メッセージの中で送信される。したがって、各送信電力制御メッセージの中のそれぞれの送信電力制御フィールドが、それぞれの単一の移動端末装置に割り当てられる。さらに、移動端末装置に関する送信電力制御フィールドは、それらの送信電力制御メッセージの各メッセージ内の所与のロケーション（１つのインデックス／複数のインデックス）に配置されることが可能である。このことは、送信電力制御フィールドをそれぞれの移動端末装置に割り当てることに関するシグナリング・オーバーヘッドを単純化することを可能にする。本発明の第１の態様と同様に、複数の送信電力制御メッセージが、単一のダウンリンク・コンポーネント・キャリア上で移動端末装置に送信されることが可能である。
【００６１】
本発明のこの第２の態様に沿って、別の実施形態が、複数のコンポーネント・キャリアのコンポーネント・キャリア・アグリゲーションを使用するＯＦＤＭベースの移動通信システムにおいて基地局から移動端末装置に送信電力制御コマンドを送信するための方法を提供し、基地局は、移動端末装置のために複数の送信電力制御メッセージを生成している。各送信電力制御メッセージは、複数の送信電力制御フィールドを備え、さらに各送信電力制御メッセージの送信電力制御フィールドのそれぞれの１つが、それぞれの１つの移動端末装置のために構成されたそれぞれのアップリンク・コンポーネント・キャリアのうちの少なくとも１つに関する送信電力コマンドをシグナリングするために、それらの移動端末装置のうちのそれぞれ１つの移動端末装置に割り当てられる。さらに、基地局が、送信電力制御メッセージを、ダウンリンク・コンポーネント・キャリアの制御シグナリング領域にマップし、さらにサブフレーム内で、ダウンリンク・コンポーネント・キャリアの制御シグナリング領域内に含まれる送信電力制御メッセージを移動端末装置に送信する。
【００６２】
本発明のさらなる実施形態による方法のより詳細な実装形態において、基地局が、各送信電力制御メッセージに関してＣＲＣ系列を生成し、送信電力制御メッセージに関するＣＲＣ系列を、送信電力制御のために定義された様々な一時識別子でマスクする。次に、基地局は、それぞれのマスクされたＣＲＣ系列を対応する送信電力制御メッセージに追加してから、それらの送信電力制御メッセージを、ダウンリンク・コンポーネント・キャリアの制御シグナリング領域にマップする。
【００６３】
やはり、本発明の第２の態様による実施形態において、移動端末装置のコンポーネント・キャリアのグループ化が、使用され得る。したがって、本発明の別の実施形態において、移動端末装置によって集約されたアップリンク・コンポーネント・キャリアが、グループ化されてキャリアのグループにされ、さらに基地局が、移動端末装置のうちのそれぞれの１つの移動端末装置のキャリアの各グループに関して、その１つの移動端末装置のためのキャリア・グループ送信電力制御コマンドを決定する。前述したとおり、各キャリア・グループ送信電力制御コマンドは、その１つの移動端末装置によって、キャリアのそれぞれのグループに属するアップリンク・コンポーネント・キャリア上のアップリンク伝送に適用されるべき送信電力コマンドである。基地局は、移動端末装置のためのキャリア・グループ送信電力制御コマンドを、様々な送信電力制御メッセージ内の移動端末装置に割り当てられた複数の送信電力制御フィールドに含める。
【００６４】
本明細書で前述したとおり、１つの移動端末装置に関する送信電力制御メッセージの数は、その１つの移動端末装置のために構成されたアップリンク・コンポーネント・キャリアの数以下であり得る。１つの移動端末装置に関する送信電力制御メッセージの数が、その１つの移動端末装置のために構成されたアップリンク・コンポーネント・キャリアの数より少ない場合、移動端末装置のコンポーネント・キャリアのグループ化が用いられることが可能である。移動端末装置のコンポーネント・キャリアのグループ化は、様々なパラメータに基づくこと、例えば、以下のパラメータのうちの少なくとも１つに基づくことが可能である。すなわち、
−  割り当てられたアップリンク・コンポーネント・キャリア上の干渉条件および電力レベル、
−  割り当てられたアップリンク・コンポーネント・キャリア上のチャネル品質、
−  割り当てられたアップリンク・コンポーネント・キャリアの帯域幅、
−  アップリンク・コンポーネント・キャリアに関する負荷分散機能のステータス、
−  基地局において利用可能な移動端末装置に関する送信電力制御フィールドの数、
−  基地局において利用可能なＴＰＣ  ＲＮＴＩの数、
−  割り当てられたアップリンク・コンポーネント・キャリアのタイプ、例えば、アップリンク・アンカ・キャリア、および
−  割り当てられたアップリンク・コンポーネント・キャリア上で移動端末装置によってシグナリングされるべきダウンリンク・データ伝送に対応するＡＣＫ／ＮＡＣＫの数。
【００６５】
本発明の第１の態様と同様に、本発明の第２の態様と関係する実施形態においても、移動端末装置のすべてのアップリンク・コンポーネント・キャリアに関する電力制御コマンドが存在することが可能である。したがって、本発明の別の実施形態において、キャリア・グループ送信電力制御コマンドのうちの１つが、移動端末装置のために構成されたすべてのアップリンク・コンポーネント・キャリア上の伝送に関して、その１つの移動端末装置によって使用される送信電力を制御する全キャリア送信電力制御コマンドである。
【００６６】
移動端末装置に関する全キャリア送信電力制御コマンドは、例えば、基地局によって、ダウンリンク・コンポーネント・キャリアの制御シグナリング領域にマップされた第１の送信電力制御メッセージ内で移動端末装置に割り当てられた送信電力制御フィールド内に含められることが可能である。
【００６７】
１つの例示的な実装形態において、全キャリア送信電力制御コマンドは、移動端末装置に関する他の送信電力制御コマンドを伝送する送信電力制御メッセージとは異なる送信電力制御メッセージにマップされる。このことは、例えば、個々の／複数のアップリンク・コンポーネント・キャリアに対応する送信電力制御コマンドが使用されない可能性がある場合、さらに／またはダウンリンク・シグナリング／オーバーヘッドを節約するのに有益であり得る。代替として、全キャリア送信電力制御コマンドに加えて、移動端末装置のために構成された１つ／複数のコンポーネント・キャリアに関するその他の送信電力制御コマンドが、コンポーネント・キャリアのうちの個々のコンポーネント・キャリア／グループに関する全キャリア送信電力制御コマンドを微調整するために送信されることが可能である。
【００６８】
本発明の第２の態様によるさらなる実施形態は、移動端末装置の動作にも関係する。したがって、本発明の別の態様は、ＯＦＤＭベースの移動通信システム内で移動端末装置のアップリンク・コンポーネント・キャリアの送信電力制御のための方法を提供し、移動端末装置は、基地局からサブフレームを受信し、さらに、受信されたサブフレーム内で、ダウンリンク・コンポーネント・キャリアの制御シグナリング領域内の複数の送信電力制御メッセージのブラインド検出を実行する。送信電力制御メッセージのそれぞれは、移動端末装置に関するそれぞれの送信電力制御コマンドを１つが備える複数の送信電力制御フィールドを備える。移動端末装置は、送信電力制御メッセージ内のそれぞれの１つの割り当てられた送信電力制御フィールドから、移動端末装置のために構成されたアップリンク・コンポーネント・キャリアに関する送信電力制御コマンドを決定し、さらに移動端末装置のために構成されたアップリンク・コンポーネント・キャリア上のアップリンク伝送にそれらの送信電力制御コマンドを適用する。
【００６９】
本発明のさらなる実施形態において、各送信電力制御メッセージの１つの送信電力制御フィールドは、送信電力制御メッセージ内のそのフィールドの位置を識別する共通のインデックスを有する。移動端末装置は、基地局から、移動端末装置に関するそれぞれの送信電力制御コマンドを備える送信電力制御メッセージ内の送信電力制御フィールドのインデックスについて移動端末装置に知らせる、より上位のレイヤのシグナリング・メッセージ、例えば、ＲＲＣメッセージをさらに受信する。
【００７０】
異なる送信電力制御メッセージの中で、異なる送信電力制御フィールド・インデックスが移動端末装置に割り当てられることが可能であり、または送信電力制御メッセージのサブグループが、共通の送信電力制御フィールド・インデックスを有することが可能であることに留意されたい。しかし、この、より柔軟性のあるシグナリング・フォーマットは、ＲＲＣシグナリング・オーバーヘッドを増大させる可能性がある。
【００７１】
さらに、本発明のさらに別の実施形態において、移動端末装置は、基地局から、移動端末装置が制御情報（送信電力制御メッセージを含む）のブラインド復号を実行すべきサブフレームの制御シグナリング領域内の共通の探索空間および／または個別の探索空間を示す、より上位のレイヤのシグナリング・メッセージ、例えば、ＲＲＣメッセージを受信する。
【００７２】
さらに、本発明の第２の態様のさらなる実施形態によれば、送信電力制御メッセージ内の移動端末装置に関する複数の送信電力制御フィールドのうちの少なくとも１つが、移動端末装置によって、移動端末装置のために構成されたコンポーネント・キャリアのサブセット上のすべての伝送に適用されるべき、移動端末装置のために構成されたアップリンク・コンポーネント・キャリアのサブセットに関するキャリア・グループ送信電力制御コマンドをシグナリングすることが可能である。移動端末装置は、各キャリア・グループ送信電力制御コマンドを、そのグループのアップリンク・コンポーネント・キャリア上の伝送に適用する。
【００７３】
全キャリア送信電力制御コマンドの使用と関係する本発明のさらなる実施形態において、移動端末装置に関する複数の送信電力制御フィールドのうちの１つが、移動端末装置によって、移動端末装置のために構成されたすべてのコンポーネント・キャリア上のすべての伝送に適用されるべき全キャリア送信電力コマンドをシグナリングしている。移動端末装置が送信電力制御コマンドを適用することは、移動端末装置によって構成されたすべてのアップリンク・コンポーネント・キャリア上のすべての伝送に全キャリア送信電力制御コマンドを適用することを備える。さらに、より具体的な例示的な実装形態において、移動端末装置は、移動端末装置のために構成されたアップリンク・コンポーネント・キャリアのサブセット上の伝送に、移動端末装置によって構成されたすべてのアップリンク・コンポーネント・キャリアに関する全キャリア送信電力制御コマンドに加えて、アップリンク・コンポーネント・キャリアのそのサブセットに関するキャリア・グループ送信電力制御コマンドを適用する。
【００７４】
既に前述したとおり、本発明の第１の態様、および第２の態様とは独立である本発明の第３の態様は、複数のコンポーネント・キャリア上、例えば、移動端末装置のすべてのコンポーネント・キャリア上、またはグループ（サブセット）のコンポーネント・キャリア上の送信電力を制御するために単独のコマンドを送信するという考え方である。この第３の態様は、移動端末装置のために構成されたアップリンク・コンポーネント・キャリアより少ない数の送信電力制御コマンドを送信することを可能にするので、送信電力制御コマンドによる制御シグナリング・オーバーヘッドを小さくすることを可能にする。このため、移動端末装置のいくつかのコンポーネント・キャリア上の送信電力が、一緒に制御されることが可能である。異なるキャリア・グループ送信電力制御コマンドは、同一の送信電力制御メッセージ内で送信されても、異なる送信電力制御メッセージ内で送信されてもよい。
【００７５】
本発明のこの第３の態様に沿って、本発明の別の実施形態が、複数のコンポーネント・キャリアのコンポーネント・キャリア・アグリゲーションを使用するＯＦＤＭベースの移動通信システムにおいて基地局から移動端末装置に送信電力制御コマンドを送信するための方法を提供し、基地局は、各移動端末装置に関して、その移動端末装置の複数の構成されたコンポーネント・キャリアをグループ化して、キャリアの少なくとも２つのグループにしている。さらに、基地局は、各移動端末装置に関して、それぞれの移動端末装置のキャリアの各グループに関するキャリア・グループ送信電力制御コマンドを生成し、さらに、移動端末装置に割り当てられた複数の送信電力制御フィールドをそれぞれ有する複数の送信電力制御メッセージをさらに生成し、キャリア・グループ送信電力制御コマンドは、複数の送信電力制御フィールドの中に含められる。基地局は、送信電力制御メッセージをダウンリンク・コンポーネント・キャリアの制御シグナリング領域にさらにマップし、さらに、サブフレーム内で、ダウンリンク・コンポーネント・キャリアの制御シグナリング領域内の電力制御メッセージを移動端末装置に送信する。
【００７６】
本発明の第１の態様、および第３の態様に沿って、さらなる実施形態によれば、移動端末装置のうちの１つの移動端末装置のキャリア・グループ送信電力制御コマンドが、例えば、１つの送信電力制御メッセージ内の送信電力制御フィールドにマップされることが可能である。さらに、キャリア・グループ送信電力制御コマンドの１つが、移動端末装置のすべてのアップリンク・コンポーネント・キャリア上の伝送に関して、それぞれの移動端末装置によって使用される送信電力を制御する全キャリア送信電力制御コマンドであることが可能である。全キャリア送信電力制御コマンドは、例えば、その１つの送信電力制御メッセージの中で現れる移動端末装置に割り当てられた最初の送信電力制御フィールドに含められることが可能である。
【００７７】
本発明の第２の態様、および第３の態様に沿って、さらなる実施形態によれば、移動端末装置のうちのそれぞれの１つの移動端末装置の各キャリア・グループ送信電力制御コマンドが、異なる送信電力制御メッセージ内の１つの送信電力制御フィールドにマップされる。この場合も、キャリア・グループ送信電力制御コマンドのうちの１つが、移動端末装置のすべてのアップリンク・コンポーネント・キャリア上の伝送に関して、それぞれの移動端末装置によって使用される送信電力を制御する全キャリア送信電力制御コマンドであることが可能である。さらに、全キャリア送信電力制御コマンドは、サブフレームの制御シグナリング領域内の最初の送信電力制御メッセージに含められることが可能である。送信電力制御メッセージが、全キャリア送信電力制御コマンドを伝送する場合、その他のグループ／個々のコマンドは、例えば、異なる１つまたは複数の送信電力制御メッセージにマップされることも可能である。
【００７８】
本発明のさらなる態様によれば、ハードウェアおよび／またはソフトウェアで本発明の様々な実施形態を実施することも示唆される。このため、本発明は、本明細書で使用される方法の様々な実施および実施形態を実行するように特に適合された基地局および移動端末装置も提供する。これに関して、基地局および移動端末装置は、様々な機能を実行する個別のハードウェア回路または集積回路をそれぞれ備えることが可能であることに留意されたい。基地局および移動端末装置は、例えば、本明細書で概説する送信電力制御方式を実行するように様々な種類の情報を受信するための受信機を備えることが可能である。同様に、基地局および移動端末装置は、本明細書で概説する送信電力制御方式を実行するように様々な種類の情報を送信するための送信機を備えることも可能である。さらに、基地局および移動端末装置は、本明細書で概説する送信電力制御方式を実行するように基地局および移動端末装置によって受信される、または送信される様々な種類の情報を処理するための、例えば、ＣＰＵまたはＤＳＰなどのプロセッサを含むことも可能である。
【００７９】
以下に、本発明を、添付の図および図面を参照して、より詳細に説明する。図における類似した、または対応する詳細には、同一の参照符号で印を付ける。
【図面の簡単な説明】
【００８０】
【図１】３ＧＰＰ  ＬＴＥシステムの例示的な構成図である。
【図２】３ＧＰＰ  ＬＴＥの全体的なＥ−ＵＴＲＡＮ構成を示す例示的な概略図である。
【図３】３ＧＰＰ  ＬＴＥ（リリース８）に関して定義されたダウンリンク・コンポーネント・キャリア上の例示的なサブフレーム構造の図である。
【図４】３ＧＰＰ  ＬＴＥ（リリース８）に関して定義されたダウンリンク・スロットの例示的なダウンリンク・リソース・グリッドの図である。
【図５】本発明の或る実施形態による、第１のシグナリング・フォーマットによる例示的なＴＰＣメッセージの図である。
【図６】本発明の或る実施形態による、第１のシグナリング・フォーマットによる複数のＴＰＣメッセージの伝送の図である。
【図７】本発明の異なる実施形態による、第１のシグナリング・フォーマットによるＴＰＣメッセージのＴＰＣフィールドの異なる例示的な用法の図である。
【図８】本発明の異なる実施形態による、第１のシグナリング・フォーマットによるＴＰＣメッセージのＴＰＣフィールドの異なる例示的な使用の図である。
【図９】本発明の異なる実施形態による、第２のシグナリング・フォーマットによりＴＰＣコマンドをシグナリングするためのＴＰＣメッセージの使用の図である。
【図１０】本発明の異なる実施形態による、第２のシグナリング・フォーマットによりＴＰＣコマンドをシグナリングするためのＴＰＣメッセージの使用の図である。
【図１１】本発明の異なる実施形態による、移動端末装置にＴＰＣフィールドを割り当てるための異なる２つのＲＲＣメッセージの図である。
【図１２】本発明の異なる実施形態による、移動端末装置にＴＰＣフィールドを割り当てるための異なる２つのＲＲＣメッセージの図である。
【図１３】本発明の別の実施形態による、ＴＰＣコマンドを提供するための第１のシグナリング・フォーマットと第２のシグナリング・フォーマットの混合を使用するＴＰＣコマンドの例示的なシグナリングの図である。
【図１４】本発明の例示的な実施形態による、基地局による様々な個別の探索空間の構成、または共通の探索空間の構成の、例示の図である。
【発明を実施するための形態】
【００８１】
以下の段落は、本発明の様々な実施形態を説明する。単に例示の目的で、これらの実施形態のほとんどは、前段の背景技術セクションで説明した、３ＧＰＰ  ＬＴＥ（リリース８）およびＬＴＥ−Ａ（リリース１０）移動通信システムに準拠する、直交シングル・キャリア・アップリンク無線アクセス方式と関係して概説される。本発明は、例えば、前述した３ＧＰＰ  ＬＴＥ（リリース８）通信システム、および３ＧＰＰ  ＬＴＥ−Ａ（リリース１０）通信システムなどの移動通信システムに関連して有利に使用され得るが、本発明は、この特定の例示的な通信ネットワークにおける使用に限定されないことに留意されたい。
【００８２】
前段の背景技術セクションで与えられた説明は、本明細書で説明する大部分が３ＧＰＰ  ＬＴＥ（リリース８）およびＬＴＥ−Ａ（リリース１０）に固有の例示的な実施形態をよりよく理解することを意図しており、説明する移動通信ネットワークにおけるプロセスおよび機能の特定の実施形態に本発明を限定するものと理解されてはならない。
【００８３】
本書の前段の前置き部分で既に述べたとおり、送信電力制御に関して３ＧＰＰ  ＬＴＥ（リリース８）向けに提案される機構は、３ＧＰＰ  ＬＴＥ−Ａ（リリース１０）における使用のためには、いくらかの適合および最適化を必要とする可能性がある。例えば、３ＧＰＰ  ＬＴＥ−Ａ（リリース１０）におけるＤＣＩフォーマット３／３Ａの「再使用」を考慮すると、構想され得る１つのソリューションは、３ＧＰＰ  ＬＴＥ（リリース８）に準拠するＤＣＩフォーマット３／３Ａを有する複数のＰＤＣＣＨが、各ダウンリンク・コンポーネント・キャリア上でユーザ機器にシグナリングされて、それぞれのリンクされたアップリンク・コンポーネント・キャリアに関する電力制御コマンドを供給することである。「リンクされたアップリンク・コンポーネント・キャリア」とは、ダウンリンク・コンポーネント・キャリアのそれぞれが、そのキャリアにリンクされたアップリンク・コンポーネント・キャリアを有すること、すなわち、それぞれのダウンリンク・コンポーネント・キャリア上でアップリンクＰＤＣＣＨが関係するアップリンク・コンポーネント・キャリアを識別するのに、アップリンク・コンポーネント・キャリアの識別が全く必要とされないことを意味する。このことは、各アップリンク・コンポーネント・キャリアに関して３ＧＰＰ  ＬＴＥ（リリース８）送信電力制御を実行すること、すなわち、３ＧＰＰ  ＬＴＥ（リリース８）送信電力制御を複数回、並行に実行することと均等である。しかし、本発明者らによって当初考慮された、この潜在的なソリューションは、複数のアップリンク・コンポーネント・キャリアを制御することができないので、非対称ダウンリンク／アップリンク・キャリア・アグリゲーション（例えば、２つのダウンリンク・コンポーネント・キャリアと、４つのアップリンク・コンポーネント・キャリア）の場合に十分に効率的でない可能性がある。さらに、ブラインド復号の試行の直線的に増大する回数を必要とすることによる処理能力およびバッテリ使用量に関するユーザ機器の要件、ならびにシグナリング・オーバーヘッドが、最適でないように思われる。
【００８４】
本発明者らによって考慮された別の可能なソリューションは、それぞれのユーザ機器の、構成されたすべてのアップリンク・コンポーネント・キャリアに関して送信電力を制御するための、３ＧＰＰ  ＬＴＥ（リリース８）機構を使用することである。このため、各ユーザ機器は、３ＧＰＰ  ＬＴＥ  ＤＣＩフォーマット３／３Ａをやはり使用して、１つの送信電力制御コマンドを受信する、すなわち、（前述したソリューションにおけるコンポーネント・キャリアごとの制御とは異なり）ユーザ機器ごとのアップリンクＴＰＣコマンドが送信される。このことは、実際、ブラインド復号として最適であり得るものの、処理要件およびシグナリング・オーバーヘッドは３ＧＰＰ  ＬＴＥ（リリース８）と比較して変わらず、このことは、コンポーネント・キャリアがもはや個別に制御され得ないためにＴＰＣコマンドの細分性が相当に制限されることを意味する。
【００８５】
本発明者らによって考慮されてきたさらなる可能なソリューションは、ＣＩＦ（キャリア・インジケータ・フィールド）を使用して、３ＧＰＰ  ＬＴＥ  ＤＣＩフォーマット３／３Ａの送信電力制御コマンドを送信することである。ＣＩＦの使用は、クロス・キャリア・スケジューリングをサポートするのに、ユーザ機器ごとのアップリンクＤＣＩフォーマットおよびダウンリンクＤＣＩフォーマットに関して、既に合意されている。また、このフィールドは、クロス・スケジュールされたアップリンク・コンポーネント・キャリアに関する電力制御コマンドの暗黙の／明示的な指示によって拡張されて、３ＧＰＰ  ＬＴＥのＤＣＩフォーマット３／３Ａにおいて提供されるＴＰＣコマンドと同様の送信電力制御を可能にすることもできる。しかし、特定のコンポーネント・キャリアに関するアップリンクＴＰＣコマンドは、ＣＩＦによってアドレス指定されるユーザ機器と同一のコンポーネント・キャリア・インデックスをすべてのユーザ機器が有する場合に限って、すなわち、コンポーネント・キャリア・インデックスのラベル付けがシステムの見地から行われる場合に限って、可能である。コンポーネント・キャリア・インデックスのラベル付けがユーザ機器の見地から行われる場合、このソリューションは、ＴＰＣコマンドを含むＣＩＦを使用してグループ化され、アドレス指定される異なるユーザ機器が異なるコンポーネント・キャリア・インデックスを有し得るので、効率的にならない可能性がある。
【００８６】
＜ＴＰＣコマンドに関するシグナリング・フォーマット−タイプ１＞
本発明の第１の態様によれば、移動端末装置（３ＧＰＰ用語でユーザ機器またはＵＥと呼ばれる）のために構成されたアップリンク・コンポーネント・キャリア（ＵＬ  ＣＣ）に関する（複数の）送信電力制御（ＴＰＣ）コマンドが、１つの送信電力制御メッセージ内で移動端末装置に与えられる。３ＧＰＰベースのシステムにおけるこの態様を実施する際に、電力制御メッセージは、例えば、３ＧＰＰ  ＬＴＥ（リリース８）に関するＤＣＩフォーマット３／３Ａに基づくフォーマットのＤＣＩを伝送するＰＤＣＣＨであることが可能である。しかし、各ＤＣＩは、所与の移動端末装置に関する複数のＴＰＣコマンドを備えることが可能である。
【００８７】
本発明の１つの例示的な実施形態による例示的なＴＰＣメッセージ（送信電力制御メッセージ）を、図５に示す。例示的なＴＰＣメッセージ５０１は、３ＧＰＰ  ＬＴＥ（リリース８）のＤＣＩフォーマット３あるいはＤＣＩフォーマット３Ａに基づいており、それぞれ、個別のＴＰＣコマンドを伝送するためのＮ個のＴＰＣフィールドを含む。ＴＰＣフィールドのサイズは、例えば、１ビットまたは２ビットである。図５に示すとおり、ＴＰＣメッセージ内のＴＰＣフィールド（Ｋ（ＵＥｉ）個のＴＰＣフィールド）のうちの複数が、複数の移動端末装置のそれぞれに割り当てられる。例えば、ＴＰＣフィールド１から４が、移動端末装置ＵＥ１に割り当てられ、移動端末装置ＵＥ１に関するそれぞれのＴＰＣコマンドを伝送する。このため、図５に示すとおり、グループの移動端末装置（移動端末装置ＵＥ１からＵＥ  Ｍ）に、ＴＰＣメッセージ５０１内の複数のＴＰＣフィールドがそれぞれ割り当てられる。ＴＰＣフィールド１からＮは、後段でさらに詳細に概説するとおり、様々なタイプのＴＰＣコマンドを伝送することが可能である。
【００８８】
１つの例示的な実装形態において、移動端末装置には、アップリンクでそれぞれの移動端末装置のために構成された各コンポーネント・キャリアに関して、１つのＴＰＣフィールドがそれぞれ割り当てられる。このため、この事例では、Ｋ（ＵＥｉ）は、アップリンクで移動端末装置のために構成されたコンポーネント・キャリアの数と等しい。この絡みで、移動端末装置／ユーザ機器は、１つまたは複数のコンポーネント・キャリア上でデータを送信するように構成され得ることに留意されたい。このため、「移動端末装置／ユーザ機器のために構成されたコンポーネント・キャリア」または「移動端末装置／ユーザ機器によって集約されたコンポーネント・キャリア」のような表現は、移動端末装置／ユーザ機器によって使用されるように構成されたコンポーネント・キャリアを表す。これらの「構成されたコンポーネント・キャリア」は、移動端末装置／ユーザ機器が使用することができる（例えば、ハードウェア制限により）コンポーネント・キャリア、または移動端末装置／ユーザ機器にサービスを提供する基地局／ｅノードＢによって受信され得る、すなわち、「利用可能」であるアップリンク・キャリアの１つまたは複数（例えば、サブセット（グループ））であることが可能である。ネットワーク、例えば、基地局／ｅノードＢは、制御シグナリング（例えば、ＲＲＣシグナリング）を使用して、それぞれの移動端末装置／ユーザ機器にアップリンク伝送のためのリソースが割り当てられることが可能なコンポーネント・キャリアのサブセット（グループ）を構成し、その結果、「移動端末装置／ユーザ機器のために構成されたコンポーネント・キャリア」を定義することが可能であることに留意されたい。
【００８９】
さらに、ＴＰＣメッセージ５０１が、ダウンリンク・コンポーネント・キャリアの制御シグナリング領域（すなわち、制御情報の伝送用のサブフレーム内の、所与の数のＯＦＤＭシンボル）内でシグナリングされる。基地局によるサービスを受けるグループの移動端末装置に、前述したとおり、送信電力制御メッセージ内のそれぞれの複数の送信電力制御フィールドが割り当てられる。基地局のカバレッジ内のすべての移動端末装置に、単一のＴＰＣメッセージ内でＴＰＣフィールドが割り当てられることが可能でない場合、基地局は、移動端末装置のそれぞれのグループに関して、これらのメッセージの複数を生成する。さらに、各移動端末装置／ユーザ機器には、ＴＰＣフィールドの割当てのためのシグナリングを簡単にするように、および／またはシグナリング・オーバーヘッドを小さくするように、連続するＴＰＣフィールド（インデックス）が割り当てられてもよいことに留意されたい。代替として、これらのフィールドは、移動端末装置／ユーザ機器に割り当てられた最初のＴＰＣフィールドの「ベース・インデックス」に基づき、所与のパターンに従って、割り当てられてもよい（例えば、移動端末装置は、メッセージ内のＫ（ＵＥｉ）個のフィールドが割り当てられ、最初のＴＰＣフィールドが、ベース・インデックスｉを有し、さらにその他のＫ（ＵＥｉ）−１個のＴＰＣフィールドが、ベース・インデックスに対する事前定義されたオフセットで与えられる（例えば、ベース・インデックスｉに対してｎ番目のフィールドごとに移動端末装置に割り当てられる））。
【００９０】
図６は、本発明の例示的な実施形態によるダウンリンク・コンポーネント・キャリア上の単一のサブフレーム内の、図５に示す複数のＴＰＣメッセージの伝送を強調している。このようなサブフレームは、基地局の利用可能なすべてのダウンリンク・コンポーネント・キャリアに及ぶが、周波数領域におけるそれぞれのコンポーネント・キャリア（ＡおよびＢ）上で、時間領域における複数のＯＦＤＭシンボルに論理的に分割される。コンポーネント・キャリアＡおよびＢは、それぞれのコンポーネント・キャリアの帯域幅を規定する或る範囲のサブバンドに及ぶ。各コンポーネント・キャリア上のサブフレーム内のＯＦＤＭシンボルのいくつかは、制御シグナリング用である。例えば、コンポーネント・キャリアＡ上に、制御シグナリング領域６０２を形成する３つのＯＦＤＭシンボルが存在し、さらにコンポーネント・キャリアＢの制御シグナリング領域６０２を形成する２つのＯＦＤＭシンボルが存在する。
【００９１】
例示の目的で、基地局／ｅノードＢは、移動端末装置のそれぞれのグループに関して異なる３つのＴＰＣ制御メッセージ６０３、６０４、６０５を生成するものと想定する。ＴＰＣ制御メッセージのそれぞれは、図５に示すフォーマットを有する。ＴＰＣ制御メッセージは、図６で「ＰＤＣＣＨ（ＤＣＩフォーマット３／３Ａ）」と表され、このようなＴＰＣメッセージは、ダウンリンクでＰＤＣＣＨとして送信されるＤＣＩ（ダウンリンク制御情報）の特別なフォーマットであることを示す。
【００９２】
移動端末装置の異なるグループに属する移動端末装置／ユーザ機器に、異なるＴＰＣメッセージ６０３、６０４、６０５をアドレス指定することができるように、各ＴＰＣメッセージ６０３、６０４、６０５は、ＴＰＣフィールドに加えて、送信電力制御シグナリングのためにシステムにおいて確保された複数の一時識別子のうちの１つでマスクされた、ＣＲＣを備える。ＬＴＥ−Ａなどの３ＧＰＰ無線ネットワークにおいて、一時識別子は、ＴＰＣ（送信電力制御）のために特別に備えられるＲＮＴＩ（無線ネットワーク一時識別子）、すなわち、いわゆるＴＰＣ  ＲＮＴＩである。このため、それらのＴＰＣメッセージの各ＴＰＣメッセージのＣＲＣは、ＴＰＣ  ＲＮＴＩのうちのそれぞれの１つのＴＰＣ  ＲＮＴＩでスクランブル／マスクされてから、ＴＰＣメッセージに含められる。移動端末装置の異なるグループの移動端末装置／ユーザ機器が、ＴＰＣメッセージのペイロード・サイズをブラインド復号し、ＴＰＣ  ＲＮＴＩのうちのそれぞれの１つを使用して、所与のＴＰＣ  ＲＮＴＩでＣＲＣを逆スクランブルする。ＴＰＣメッセージの中に含まれる逆スクランブルされたＣＲＣ情報に基づいて、移動端末装置は、メッセージ・ペイロード（すなわち、ＴＰＣフィールド）が正常に復号されており、さらに移動端末装置を宛先としているかどうかを判定する。正常に復号されており、さらに移動端末装置を宛先としている場合、グループのそれぞれの移動端末装置は、そのＴＰＣメッセージがこれらの移動端末装置にアドレス指定されているものと想定し、それ以外の場合、ＣＲＣ検査は、ＣＲＣ情報を逆スクランブルするために誤ったＴＰＣ  ＲＮＴＩを使用していることにより、失敗する。
【００９３】
このようにして、異なるＴＰＣメッセージが、異なる移動端末装置／ユーザ機器にアドレス指定されることが可能である。個々の移動端末装置／ユーザ機器は、使用されるべきＴＰＣ  ＲＮＴＩを示すＲＲＣメッセージが、基地局からそれぞれの移動端末装置に送信されることによって、それらの移動端末装置／ユーザ機器を宛先とするＴＰＣメッセージの検出のために使用されるべきＴＰＣ  ＲＮＴＩについて知らされることが可能である。さらに、ＴＰＣメッセージ内のいずれのＴＰＣフィールドが所与の移動端末装置／ユーザ機器に関するＴＰＣコマンドを含むかをそれぞれの移動端末装置／ユーザ機器に示すのに、基地局によって同一のＲＲＣシグナリング・メッセージが使用されてもよいし、異なるＲＲＣシグナリング・メッセージが使用されてもよい。
【００９４】
図６から見てとることができるとおり、移動端末装置に関するＴＰＣコマンドは、単一のＴＰＣメッセージ内で与えられる。つまり、この移動端末装置に関するＴＰＣコマンドは、単一のＰＤＣＣＨ  ＤＣＩフォーマット３／３Ａ内に設定されることが可能である。この例示的な実装形態は、それでも、単一のサブフレーム内で複数のＴＰＣコマンドを同時に提供する完全な柔軟性を有する。
【００９５】
例示的な目的で、前述したＴＰＣコマンド・シグナリング方式のＲＲＣシグナリング・オーバーヘッドに関して、ユーザ機器のために構成された５つのアップリンク・コンポーネント・キャリアが存在するものと想定する。このため、１つのＴＰＣメッセージ内でユーザ機器のために５つの（連続する）ＴＰＣフィールドが確保されるものと想定され得る。前述したとおり、ＴＰＣフィールドが、ＴＰＣメッセージ内で連続して、または既知のパターンで割り当てられる場合、１つのＴＰＣフィールドのインデックス、およびＴＰＣメッセージのＴＰＣ−ＲＮＴＩをシグナリングするだけで十分である。このＴＰＣフィールドは、例えば、移動端末装置に関する開始ＴＰＣフィールド・インデックスであり得る。移動端末装置は、通常、移動端末装置のために構成されたアップリンク・コンポーネント・キャリアの数を認識している。このため、ｅノードＢが、開始ＴＰＣフィールド・インデックスをＴＰＣフィールド１としてシグナリングし、さらに、ユーザ機器が５つのアップリンク・コンポーネント・キャリアに関して構成される場合、移動端末装置は、ＴＰＣフィールド１からＴＰＣフィールド５が移動端末装置に割り当てられているものと想定する。このため、この場合、ＴＰＣコマンドは、ユーザ機器のために構成されたすべてのコンポーネント・キャリアに関して与えられるものの、シグナリング・オーバーヘッドは、３ＧＰＰ  ＬＴＥ（リリース８）のシグナリング・オーバーヘッドと同様である。このため、この例示的な実装形態において、ユーザ機器にＴＰＣフィールドを割り当てることに関するＲＲＣシグナリング・オーバーヘッドは、それぞれ、ＴＰＣ−ＲＮＴＩの場合、６ビット、ＴＰＣフィールド・インデックスの場合、４ビットあるいは５ビットである（ＬＴＥ（リリース８）のＤＣＩフォーマット３、あるいは３Ａを再使用する場合）。ＴＰＣフィールド割当てのためのＲＲＣシグナリング・メッセージは、図１１に示すとおり、２０ビットまたは２１ビットである。
【００９６】
図１１におけるＲＲＣメッセージに関するＡＳＮ（抽象シンタックス表記）を、以下に示す。すなわち、
0005844743.tif 000015
【００９７】
所与のパターンに従うことなしに連続しないフィールドが割り当てられる場合、ｅノードＢは、さらなるビットを使用して、割り当てられたフィールドを個々に示す必要がある。この事例では、ユーザ機器に割り当てられたＴＰＣインデックスを構成するのに、シグナリング・オーバーヘッドは、ＣＣ（コンポーネント・キャリア）の数ＮＣＣに比例して増大し、このオーバーヘッドはそれでも、ＴＰＣフィールドが、ｅノードＢによって送信される任意のＴＰＣメッセージ内で割り当てられることが可能である場合、ＴＰＣ−ＲＮＴＩおよびＴＰＣインデックスをＮＣＣ回シグナリングする際のオーバーヘッドより小さい。ユーザ機器に任意の方法でＮＣＣ個のＴＰＣフィールドが割り当てられ得るＴＰＣフィールド割当てに関する例示的なシグナリング・メッセージを、図１２に示す。図１２におけるＲＲＣメッセージのＡＳＮ表現を、以下に示す。すなわち、
0005844743.tif 000016
【００９８】
さらに、メッセージ内で連続するＴＰＣフィールドを割り当てること／所与のパターンに従ってＴＰＣフィールドを割り当てることと、これとは対極に、単一のＴＰＣメッセージのＴＰＣフィールド、例えば、連続するＴＰＣインデックスを有するユーザ機器のために構成されたアップリンク・コンポーネント・キャリアの異なるサブセットを割り当てることに極端に完全な柔軟性を持たせるということとの間に、何らかの中間ソリューションが存在することも可能であることに留意されたい。
【００９９】
前述したとおり、移動端末装置は、例えば、ブラインド復号によってＴＰＣメッセージを検出することが可能である。各移動端末装置は、すべてのＴＰＣコマンドを単一のＴＰＣメッセージ内で受信するので、ＴＰＣ  ＲＮＴＩが調べられるだけでよい。このため、ブラインド検出複雑度は、３ＧＰＰ  ＬＴＥ（リリース８）と同様である。
【０１００】
＜ＴＰＣコマンドに関するシグナリング・フォーマット−タイプ２＞
図５、図６、図１１、および図１２に関連して前述した例において、移動端末装置に関するすべてのＴＰＣコマンドは、基地局によって送信される１つのＴＰＣメッセージ（場合により、複数のＴＰＣメッセージのうちの）の中に含められるものと想定した。本発明のさらなる第２の態様は、移動端末装置のために構成されたアップリンク・コンポーネント・キャリアに関するＴＰＣコマンドの別のシグナリング・フォーマットと関係する。すなわち、所与の移動端末装置に送信されるべき送信電力コマンドは、それぞれ、異なるＴＰＣメッセージの中に含められ、したがって、それぞれの（１つの）ＴＰＣメッセージの中で１つの送信電力制御コマンドが送信される。したがって、各送信電力制御メッセージ内の１つのＴＰＣフィールドが、それぞれの単一の移動端末装置に割り当てられる。
【０１０１】
移動端末装置にＴＰＣコマンドをシグナリングするための、このフォーマットを、図９に例示する。ＴＰＣメッセージ９０１、９０２、９０３、９０４が、例えば、３ＧＰＰ  ＬＴＥ（リリース８）の場合と同様に構成されることが可能であり、例えば、背景技術セクションで概説したフォーマット３または３Ａを有する。しかし、基地局は、送信電力コマンドがシグナリングされる必要がある移動端末装置のそれぞれに、異なるＴＰＣフィールドにおけるそれぞれの単一のＴＰＣフィールドが割り当てられることを確実にする。例えば、それぞれの移動端末装置に、複数のＴＰＣメッセージにおいて同一のインデックスを有するＴＰＣフィールドが割り当てられる。このことを、図９に例示しており、図９では、移動端末装置ＵＥ１に、ＴＰＣメッセージ９０１、９０２、９０３、９０４におけるＴＰＣフィールド１が割り当てられ、移動端末装置ＵＥ２に、ＴＰＣメッセージ９０１、９０２、９０３、９０４におけるＴＰＣフィールド２が割り当てられるといった具合である。もちろん、図５、図６、図１０、および図１１に関連して前述したＴＰＣシグナリングと同様に、代替として、それぞれの移動端末装置に割り当てられるＴＰＣフィールドのインデックスは、何らかの既知のパターンまたは方式に従って、例えば、最初のＴＰＣメッセージ９０１内で移動端末装置に割り当てられたＴＰＣフィールドに関して定義されたベース・インデックスに対する或るオフセットを使用することによって、ＴＰＣメッセージごとに異なってもよい。
【０１０２】
さらに、単一の移動端末装置に、必ずしも、それらのＴＰＣメッセージの各ＴＰＣメッセージ内の或るＴＰＣフィールドが割り当てられるわけではない可能性があることに留意されたい。既に前述したとおり、ＴＰＣフィールドの数は、所与の移動端末装置のために構成されたコンポーネント・キャリアの数に主に依存する。図１０の例を考慮すると、移動端末装置ＵＥ２に、最初の２つのＴＰＣメッセージ９０１、９０２内の２つのＴＰＣフィールドだけが割り当てられる一方で、別の移動端末装置ＵＥ３には、同一のインデックス位置におけるＴＰＣメッセージ９０２、９０３内の残りのＴＰＣフィールドが割り当てられるシナリオが、示されている。
【０１０３】
移動端末装置が、Ｋ（ＵＥｉ）個のアップリンク・コンポーネント・キャリアを有して構成されるものと想定すると、それぞれの移動端末装置に、Ｋ（ＵＥｉ）個のＴＰＣ−ＲＮＴＩが割り当てられる。（各ＴＰＣ−ＲＮＴＩに関する）各ＴＰＣメッセージ内のＴＰＣフィールド・インデックスは、同一であることが可能であり、または「ベース・インデックス」が、前述したとおりシグナリングされる。さらに、タイプ２シグナリング・フォーマットは、特定のアップリンク・コンポーネント・キャリアに関して複数の移動端末装置を同時に制御する際、ＲＲＣシグナリングの点でより小さいオーバーヘッドをもたらす。例示的なシナリオは、アップリンク・コンポーネント・キャリア干渉シナリオ全体が変化する事例であり得る。この事例では、基地局は、このアップリンク・コンポーネント・キャリアを構成しているすべての移動端末装置のためにＴＰＣコマンドを送信することが可能である。タイプ２シグナリング・フォーマットを使用すると、単一のＴＰＣメッセージ内でアドレス指定される移動端末装置の数は、タイプ１シグナリング・フォーマットを使用する場合より多い。このため、単一のＴＰＣメッセージで、アップリンク・コンポーネント・キャリアに接続された、より多くの移動端末装置がアドレス指定されることが可能である。
【０１０４】
５つのアップリンク・コンポーネント・キャリアを有して構成された移動端末装置をやはり想定して、移動端末装置に、５つのＴＰＣ−ＲＮＴＩを使用して５つのＴＰＣメッセージ内の５つのＴＰＣフィールドが割り当てられる。連続するいくつかのＴＰＣメッセージ内のＴＰＣフィールドを割り当てるのに１つだけのＴＰＣフィールド・インデックスがシグナリングされることが可能であるので、１つだけのＴＰＣフィールド・インデックス、および最初のＴＰＣメッセージのＴＰＣ−ＲＮＴＩをシグナリングするだけで十分であり得る。移動端末装置は、構成されたアップリンク・コンポーネント・キャリアの数Ｋ（ＵＥｉ）を認識しているので、移動端末装置は、その他のＴＰＣメッセージに関するさらなるＴＰＣ−ＲＮＴＩについて決定することができる。例えば、利用可能なＴＰＣ  ＲＮＴＩは、移動端末装置に与えられている、または知られているとともに、或る順序を有することが可能である。第１のＴＰＣメッセージの「開始」ＴＰＣ  ＲＮＴＩを示すことによって、移動端末装置は、移動端末装置が次のＫ（ＵＥｉ）−１個のＴＰＣ  ＲＮＴＩに割り当てられていることを結論付けることも可能である。例えば、基地局が、ＴＰＣ  ＲＮＴＩ  １を示す開始ＴＰＣ−ＲＮＴＩインデックスをシグナリングすることが可能である。移動端末装置は、移動端末装置が、５つのアップリンク・コンポーネント・キャリアに関して構成されていることを認識しており、したがって、移動端末装置は、ＴＰＣ−ＲＮＴＩ  １からＴＰＣ−ＲＮＴＩ  ５が移動端末装置に割り当てられているものと想定する。
【０１０５】
このため、複数のＴＰＣメッセージ内で移動端末装置のＴＰＣコマンドをシグナリングする、この代替のタイプにおいて、３ＧＰＰ  ＬＴＥ（リリース８）と比較して、それらの異なるＴＰＣメッセージ内のＴＰＣフィールドを移動端末装置に割り当てることに関するシグナリング・オーバーヘッドは、やはり存在しない。さらに、図１１に示すＲＲＣシグナリング・フォーマットが使用されることも可能である。さらに、移動端末装置に、連続しないＴＰＣメッセージ内のＴＰＣフィールドが割り当てられる場合、ＴＰＣフィールド割当てに関するＲＲＣシグナリング・メッセージは、例えば、移動端末装置によって使用されるべき、ＴＰＣフィールドのＴＰＣフィールド（ベース）インデックス、および各ＴＰＣ  ＲＮＴＩを示すことが可能である。図１１におけるＲＲＣメッセージ・フォーマットのＡＳＮ表現を、以下に示す。すなわち、
0005844743.tif 000017
【０１０６】
図９および図１０に関連して概説する例において、移動端末装置は、複数のＴＰＣコマンドをシグナリングする複数のＴＰＣメッセージ（複数のＰＤＣＣＨ）を受信し、複数のＴＰＣ−ＲＮＴＩを使用する。このため、ブラインド検出の複雑度は、それぞれ、割り当てられたＴＰＣフィールドの数とともに増加し、移動端末装置のために構成されたアップリンク・コンポーネント・キャリアの数につれて直線的に増加している。
【０１０７】
前述の図５、図６、図９、図１０、図１１、および図１２の説明は、１つの移動端末装置当り複数のＴＰＣコマンドをシグナリングする、異なる２つのタイプに主に焦点を当ててきた。この２つのシグナリング・フォーマットは、互いに容易に組み合わされることも可能であることに留意されたい。例えば、移動端末装置に、それぞれの複数のＴＰＣメッセージ内の複数のＴＰＣフィールドが割り当てられることが可能である。代替として、基地局は、基地局のセル内の移動端末装置の大半に適用される何らかの使用シナリオに依存して、２つのＴＰＣシグナリング・フォーマットの間で切り換えることを決定してもよい。例えば、移動端末装置が、小さい集約サイズを主に使用する（例えば、１つ、２つ、または３つのアップリンク・コンポーネント・キャリアを有して構成される）場合、タイプ１シグナリング・フォーマットが使用されることが可能であるのに対して、他の集約サイズの場合も、タイプ１シグナリング・フォーマットが使用されることが可能である。
【０１０８】
別の例において、数ＧおよびＨが移動端末装置に知られているものとして、移動端末装置に、連続するＨ個のＴＰＣメッセージ内の所与のインデックス位置における連続するＧ個のＴＰＣフィールドが割り当てられることも可能であり、やはり、図１１に示すフォーマットが、ＴＰＣフィールドの割当てをシグナリングするのに使用されることも可能である。数ＧおよびＨが知られていない場合、基地局が、開始ＴＰＣ  ＲＮＴＩ、および各メッセージ内のＴＰＣフィールドを示す、図１２に示すシグナリング・フォーマットが使用されることが可能である一方で、移動端末装置は、例えば、
【数１１】
0005844743.tif 000018
を計算することによって、移動端末装置の構成されたアップリンク・コンポーネント・キャリアの数、および各ＴＰＣメッセージ内のＴＰＣフィールドの数Ｇに基づいて、使用すべきＴＰＣ  ＲＮＴＩの数を決定することが可能である。なお、関数
【数１２】
0005844743.tif 000019
は、ｘの次に大きい整数を与える。それらのＴＰＣメッセージにわたるＴＰＣフィールドの割当てがより柔軟であり、不規則であるほど、割当てのシグナリング・オーバーヘッドは大きくなることを理解されたい。
【０１０９】
＜コンポーネント・キャリア・グループ化＞
前述の例において、所与の移動端末装置のために構成された１つのコンポーネント・キャリア当り、１つのＴＰＣコマンドが存在した。以下に、本発明の別の第３の態様を説明する。この第３の態様は、移動端末装置の複数のコンポーネント・キャリア上、例えば、すべてのコンポーネント・キャリア上、またはグループ（サブセット）のコンポーネント・キャリア上の送信電力を制御するために、単一のコマンドを送信するという考え方に基づく。このため、移動端末装置のいくつかのコンポーネント・キャリア上の送信電力が一緒に制御されることが可能である。この本発明の第３の態様は、移動端末装置のために構成されたアップリンク・コンポーネント・キャリアより少ない数の送信電力制御コマンドを送信することを可能にするため、ＴＰＣフィールドの割当てが単純化されることが可能であり、さらにより少ない情報しかシグナリングされなくてもよいので（ＴＰＣフィールドの割当て方式に依存して）、制御シグナリング・オーバーヘッドを小さくすることを可能にする。
【０１１０】
キャリアのグループ化の使用、およびそれぞれのキャリア・グループＴＰＣコマンドを与えることは、制御シグナリング・オーバーヘッドと関係なく、特に有益である。タイプ１およびタイプ２のシグナリング・フォーマットにおいて、すべてのＴＰＣコマンド／ＴＰＣメッセージが、単一のダウンリンク・コンポーネント・キャリア上で送信され得る。基地局が、多数のアップリンク・コンポーネント・キャリア（例えば、利用可能なすべてのアップリンク・コンポーネント・キャリア）を、すべてが集約している多数の移動端末装置にサービスを提供している場合、ＴＰＣコマンドの数は多く、ダウンリンク・コンポーネント・キャリアのＰＤＣＣＨ領域内でシグナリングされるべきＴＰＣメッセージの数も多く、さらにＰＤＣＣＨ領域内の他の制御情報の、例えば、ブロードキャスト情報のシグナリングの何らかの制限を暗示する可能性がある。したがって、基地局によるサービスを受ける移動端末装置に関してシグナリングされるべきＴＰＣコマンドの数を減らすことが望ましい可能性がある。
【０１１１】
この第３の態様の基礎をなす考え方は、移動端末装置に複数のアップリンク・キャリアに関するＴＰＣコマンドを与えるための任意のシグナリング・フォーマットに適用されることが可能である。特に、この第３の態様の基礎をなす考え方は、本明細書で説明するＴＰＣコマンドに関する様々なシグナリング・フォーマットのうちの１つで、直ちに使用され得る。簡明のため、前述の図５および図６に関連して例示してきたＴＰＣコマンドに関するシグナリング・フォーマットは、以降、「タイプ１シグナリング・フォーマット」と呼ぶ一方で、図９および図１０に関連して例示してきたＴＰＣコマンドに関するシグナリング・フォーマットは、以降、「タイプ２シグナリング・フォーマット」と呼ぶ。
【０１１２】
本発明の第３の態様に沿った１つの例示的な実施形態は、「全キャリア」ＴＰＣコマンド、すなわち、移動端末装置のために構成されたすべてのコンポーネント・キャリアに適用される、単一のＴＰＣコマンドの導入である。前述したタイプ１シグナリング・フォーマット、またはタイプ２シグナリング・フォーマットの移動端末装置に割り当てられた複数のＴＰＣフィールドのうちの１つが、この全キャリアＴＰＣコマンドを伝送している。全キャリアＴＰＣコマンドは、例えば、高速で移動する移動端末装置に特に適用可能であり得る。それらの端末装置の場合、すべてのコンポーネント・キャリア上のチャネル品質が、同様のフェージングを経験する可能性が高く、したがって、単一のＴＰＣコマンドがすべてのコンポーネント・キャリアに適用され得る。しかし、全キャリアＴＰＣコマンド（および、後段で説明するキャリア・グループＴＰＣコマンド）は、後段でさらに詳細に概要を説明するとおり、単に、シグナリング・オーバーヘッドおよび／または移動端末装置のブラインド復号作業を減らす手段として使用されることも可能である。
【０１１３】
全キャリアＴＰＣコマンドに加えて、または代替として、移動端末装置のために構成されたコンポーネント・キャリアのサブセットに関する送信電力を制御する、１つまたは複数のＴＰＣコマンドが存在することも可能である。このタイプのコマンドは、本明細書でキャリア・グループＴＰＣコマンドと呼び、特に、全キャリアＴＰＣコマンドは、特別なキャリア・グループＴＰＣコマンドと考えることが可能である。
【０１１４】
例えば、アップリンクで構成された５つのコンポーネント・キャリアを有する移動端末装置を考慮し、さらに移動端末装置に割り当てられた４つのＴＰＣフィールドも存在することを考慮されたい。このことは、移動端末装置が、同一のＴＰＣメッセージ内、または異なるＴＰＣメッセージ内に複数のＴＰＣフィールドを有することを意味する。この事例では、ＴＰＣフィールドは、異なるタイプのコマンドをシグナリングするのに使用され得る。例えば、図５に示すタイプ１シグナリング・フォーマットを使用して、ＴＰＣフィールド１が、移動端末装置によって構成されたすべてのアップリンク・コンポーネント・キャリア（コンポーネント・キャリア１から５）に関するＴＰＣコマンドを伝送することが可能であり、ＴＰＣフィールド２が、コンポーネント・キャリア１だけに関するＴＰＣコマンドを伝送することが可能であり、ＴＰＣフィールド３が、コンポーネント・キャリア２および３に関するキャリア・グループＴＰＣコマンドを伝送し、さらに、ＴＰＣフィールド４は、移動端末装置のコンポーネント・キャリア４に関するＴＰＣコマンドを与える。
【０１１５】
全キャリアＴＰＣコマンドが移動端末装置によってどのように使用されるかについて、様々な可能性が存在する。第１の例において、全キャリアＴＰＣコマンドは、移動端末装置によって、個々のＴＰＣコマンド、またはキャリア・グループＴＰＣコマンドが全く受信されないすべてのアップリンク・コンポーネント・キャリア上のすべての伝送の送信電力を制御するように、適用される。前段で与えられる例において、このことは、コンポーネント・キャリア５の送信電力「だけ」が、全キャリアＴＰＣコマンドによって制御されるのに対して、移動端末装置の他のコンポーネント・キャリア１から４上のそれぞれの送信電力は、ＴＰＣフィールド１内、およびＴＰＣフィールド４内のそれぞれの個々のＴＰＣコマンド、およびＴＰＣメッセージのＴＰＣフィールド２内のキャリア・グループＴＰＣコマンドによって制御されることを意味する。
【０１１６】
別の例において、全キャリアＴＰＣコマンドは、移動端末装置によって、すべてのアップリンク・コンポーネント・キャリア上のすべての伝送の送信電力を制御するように適用され、さらなる個々のＴＰＣコマンドおよび／またはキャリア・グループＴＰＣコマンドは、移動端末装置によって、それぞれ、個々のコンポーネント・キャリア、グループのコンポーネント・キャリアに関する送信電力に適用されるべき全キャリアＴＰＣコマンドを基準とした、さらなるオフセットを与える。
【０１１７】
１つの移動端末装置当りのＴＰＣコマンドの数をさらに減らすのに、例えば、基地局によって送信されるＴＰＣメッセージ内で、１つの移動端末装置に割り当てられる２つ、または３つだけのＴＰＣフィールドが存在することが可能である。本発明の一実施形態において、すべてのＴＰＣコマンドは、キャリア・グループＴＰＣコマンドである。さらなる実施形態において、１つのＴＰＣコマンドは、全キャリアＴＰＣコマンドであり、さらに残りのＴＰＣコマンドは、キャリア・グループＴＰＣコマンドである。
【０１１８】
図７は、移動端末装置ＵＥ１に、ＴＰＣメッセージ５０１内で３つのＴＰＣフィールドが割り当てられ、さらに移動端末装置ＵＥ１に割り当てられた各ＴＰＣフィールドが、所与のキャリア・グループ＃ｉ（ＴＰＣ  ＣＧ＃ｉ）に関するＣＧ（キャリア・グループ）ＴＰＣコマンドを伝送している、タイプ１シグナリング・フォーマットによる１つの例示的なＴＰＣメッセージを強調する。図８は、移動端末装置ＵＥ１に割り当てられた最初のＴＰＣフィールドが、ＴＰＣ  Ａｌｌ  ＣＣ（全キャリアＴＰＣコマンド）を伝送している一方で、ＴＰＣメッセージ内の移動端末装置ＵＥ１のその他のＴＰＣフィールドは、キャリア・グループ・コマンド（ＴＰＣ  ＣＧ＃ｉ）である、タイプ１シグナリング・フォーマットによる別の例示的なＴＰＣメッセージを示す。
【０１１９】
図１３に例示する本発明の一実施形態において、ダウンリンク・コンポーネント・キャリアの制御シグナリング領域内の最初の（第１のＴＰＣ  ＲＮＴＩに関連付けられた）ＴＰＣメッセージ１３０１は、移動端末装置ＵＥ１に関する１つのＴＰＣフィールドを備え、それぞれの移動端末装置に関する全キャリアＴＰＣコマンドを与える。さらなる第２のＴＰＣメッセージ１３０２は、移動端末装置ＵＥ１に割り当てられた１つまたは複数のＴＰＣフィールド（図１３の例では、２つのＴＰＣフィールド、ＴＰＣフィールド１および２）を備え、さらにキャリア・グループＴＰＣコマンドおよび／または移動端末装置のために構成された個々のコンポーネント・キャリアに関するＴＰＣコマンドを与える。
【０１２０】
基地局における、移動端末装置によって構成されたコンポーネント・キャリアのグループ化は、いくつかのパラメータに基づくことが可能である。移動端末装置のコンポーネント・キャリアのグループ化は、様々なパラメータに基づくこと、例えば、以下のパラメータのうちの少なくとも１つに基づくことが可能である。すなわち、
−  割り当てられたアップリンク・コンポーネント・キャリア上の干渉条件および電力レベル、
−  割り当てられたアップリンク・コンポーネント・キャリア上のチャネル品質、
−  割り当てられたアップリンク・コンポーネント・キャリアの帯域幅および／または周波数帯域、
−  アップリンク・コンポーネント・キャリアに関する負荷分散機能のステータス、
−  基地局において利用可能な移動端末装置に関する送信電力制御フィールドの数、
−  基地局において利用可能なＴＰＣ  ＲＮＴＩの数、
−  割り当てられたアップリンク・コンポーネント・キャリア、例えば、アップリンク・アンカ・キャリアのタイプ、および
−  移動端末装置によるアップリンク・コンポーネント・キャリア上のダウンリンク・データ伝送に関するＡＣＫ／ＮＡＣＫシグナリング。
【０１２１】
例えば、高速で移動する移動端末装置の場合に（例えば、列車内、または自動車内に位置する場合）、移動端末装置のために構成された様々なアップリンク・コンポーネント・キャリアが、関係するフェージングを経験する可能性が高い。このため、構成された複数のコンポーネント・キャリア上の干渉状況や、そのようなキャリア上のチャネル品質は、緊密に関係する可能性があり、したがって、全キャリアＴＰＣコマンドの使用が、移動端末装置において構成されたすべてのコンポーネント・キャリアを同時に制御し、さらに残りのＴＰＣフィールド内で個々のＴＰＣコマンドを送信することによって、個々のコンポーネント・キャリアを微調整するのに適切であり得る。
【０１２２】
また、集約されるアップリンク・コンポーネント・キャリアの帯域幅および／または周波数帯域が、考慮され得る。例えば、小さい帯域幅（例えば、５ＭＨｚ）を有し、さらに周波数帯域が近いコンポーネント・キャリアが、グループ化されて、キャリア・グループ・コマンドによって一緒に電力制御されることが可能である。
【０１２３】
関係があり得る別のパラメータは、基地局において利用可能な移動端末装置（または複数の移動端末装置）に関する送信電力制御フィールドの数である。例えば、所与のダウンリンク・コンポーネント・キャリア上の各サブフレーム内で基地局が送信することができるＴＰＣコマンドの最大数に対するシステム制限が、存在する可能性があり、このことは、基地局によるサービスを受けるすべての移動端末装置の送信電力制御を可能にするための各移動端末装置に割り当てられ得るＴＰＣフィールドの数の制限を暗示する可能性がある。
【０１２４】
多少類似した制限が、基地局が１つのサブフレーム内でシグナリングすることができるＴＰＣメッセージの数を基本的に規定する、基地局において利用可能なＴＰＣ  ＲＮＴＩによって、暗示され得る。この場合も、このことは、各移動端末装置が１サブフレーム当り少なくとも１つのＴＰＣコマンドを受信することを確実にする際に、１つの移動端末装置当りのＴＰＣフィールドの数に関する含意を有し得る。
【０１２５】
コンポーネント・キャリアのグループ化に関する別のパラメータは、割り当てられたアップリンク・コンポーネント・キャリアのタイプであり得る。例えば、アップリンク・コンポーネント・キャリアの１つまたは複数が、個々に電力制御されなければならないアンカ・アップリンク・コンポーネント・キャリアである可能性がある。このため、アップリンクにおける移動端末装置のアンカ・コンポーネント・キャリアが、個々のＴＰＣコマンドによって制御されることが可能である一方で、その他のコンポーネント・キャリアが、他のパラメータに基づいてさらにグループ化されること、またはキャリア・グループＴＰＣコマンドが送信される単一のキャリア・グループの中で組み合わされることが可能であると、有利である。
【０１２６】
さらなるパラメータは、移動端末装置によるアップリンク・コンポーネント・キャリア上のダウンリンク・データ伝送に関するＡＣＫ／ＮＡＣＫシグナリングであり得る。例えば、ダウンリンク・データに関するＡＣＫ／ＮＡＣＫシグナリングは、移動端末装置の１つまたは複数のアップリンク・コンポーネント・キャリア上で与えられることが可能である。前述したとおり、ＴＰＣメッセージに関するＤＣＩフォーマット３／３Ａを再使用している場合、ＰＵＣＣＨ上でＡＣＫ／ＮＡＣＫシグナリングのリソースを許可するＤＣＩフォーマットが、ＤＣＩフォーマット３／３Ａ  ＴＰＣメッセージによって与えられる所与のアップリンク・コンポーネント・キャリアに関するＴＰＣコマンドに上書きされる可能性があるものと想定され得る。このため、それらのアップリンク・コンポーネント・キャリアが、別個のキャリア・グループの中にグループ化され得る一方で、移動端末装置に割り当てられ得るＴＰＣフィールドの数が十分である場合、その他のコンポーネント・キャリアは、個々のＴＰＣコマンドによって個別に電力制御されることが可能である。
【０１２７】
＜さらなるシグナリング態様＞
前段の説明において、１つまたは複数のＴＰＣメッセージの中で移動端末装置にいくつかのＴＰＣフィールドを割り当てるために、基地局によってシグナリングされるＲＲＣメッセージがどのような情報を備える必要があるかの例を挙げた。基本的に、この情報は、１つまたは複数のＴＰＣメッセージ内で移動端末装置にＴＰＣフィールドを割り当てるために、移動端末装置によって使用されるべき１つまたは複数のＴＰＣフィールド・インデックス、および１つまたは複数のＴＰＣ  ＲＮＴＩをシグナリングすることによる、割り当てられたＴＰＣフィールドの指示であった。
【０１２８】
コンポーネント・キャリアのグループ化が全く使用されない場合、つまり、ＴＰＣメッセージが、移動端末装置のために構成された各コンポーネント・キャリアに関するそれぞれのＴＰＣコマンドを備える場合、移動端末装置内のＴＰＣコマンドが関係するアップリンク・コンポーネント・キャリアに対するＴＰＣコマンドのマッピングは、例えば、基地局と移動端末装置がともに同一の順序のアップリンク・コンポーネント・キャリアに到達するように、構成されたコンポーネント・キャリアに関する何らかの１つまたは複数の相互ソート基準を使用して、基地局および移動端末装置によって実現されることが可能である。次に、ＴＰＣコマンドは、ＴＰＣコマンドがＴＰＣメッセージ内で出現するとおりの所与の順序で、コンポーネント・キャリアにマップされ得る。コンポーネント・キャリアのソートは、例えば、コンポーネント・キャリアの帯域幅、チャネル品質（ＣＱＩ）、キャリア周波数に基づくこと、または単にＵＥごともしくはシステムごとのコンポーネント・キャリア・インデックス・ラベル付けに基づくことなどが可能である。このため、コンポーネント・キャリアに対するＴＰＣコマンドのマッピングを定義するのに、別個の制御シグナリングは、全く必要とされない。
【０１２９】
やはり、キャリアのグループ化が使用される場合に、さらなる制御シグナリングを必要としない可能性があるいくつかの構成が存在し得る。例えば、基地局によって送信される２つのＴＰＣコマンドが存在し、ＴＰＣメッセージ内で出現する最初のＴＰＣコマンドが、移動端末装置のために構成されたすべてのコンポーネント・キャリアに関係する全ＴＰＣコマンドであり、さらにＴＰＣメッセージ内で出現する２番目のＴＰＣコマンドが、アップリンクで移動端末装置のすべてのアンカ・キャリアに関係する個々の／キャリア・グループＴＰＣコマンドであることが合意され得る。
【０１３０】
代替として、移動端末装置のために構成されたアップリンク・コンポーネント・キャリアの順序、および／またはコンポーネント・キャリアのグループ化を規定する、基地局から移動端末装置への何らかのさらなるＲＲＣシグナリングが、存在してもよい。その場合、移動端末装置は、ＴＰＣコマンドを、ＴＰＣメッセージ内でＴＰＣコマンドが現れるとおり、所与の順序でコンポーネント・キャリア／グループのコンポーネント・キャリアに適用することが可能である。
【０１３１】
＜探索空間の構成＞
さらに、本発明の別の実施形態において、ＴＰＣメッセージのブラインド復号動作と関係するさらなる潜在的な問題が考慮される。移動端末装置にＴＰＣコマンドを送信するのに、いくつかのＴＰＣメッセージが要求される場合、それらのＴＰＣメッセージは、ダウンリンク・コンポーネント・キャリアの制御シグナリング領域内の異なる位置に配置され得る。したがって、基地局は、それらのメッセージが、移動端末装置の個別の探索空間内、または共通の探索空間内で、それでもやはり与えられることを確実にする必要がある可能性があり、さらにそれらのメッセージを、それに相応して、ダウンリンク・コンポーネント・キャリアの制御シグナリング領域にマップする必要がある可能性がある。さらなる柔軟性のために、基地局が、異なる個別、または共通の探索空間を有するようにそれらの移動端末装置を構成して、ダウンリンクでコンポーネント・キャリアの制御シグナリング領域にＴＰＣメッセージをマッピングすることにより大きい自由を得るようにすることが、有益であり得る。
【０１３２】
例えば、タイプ１シグナリング・フォーマットを考慮している場合、各ＴＰＣメッセージは、所与の移動端末装置に関するすべてのＴＰＣコマンドを含む。このため、第１のグループの端末装置は、それらの端末装置のＴＰＣコマンドを、制御シグナリング領域にマップされた最初のＴＰＣメッセージ内で受信しており、第２のグループの端末装置は、それらの端末装置のＴＰＣコマンドを、制御シグナリング領域にマップされた２番目のＴＰＣメッセージ内で受信しているといった具合である。このため、図１４に示すとおり、それらの移動端末装置に異なる探索空間を割り当てることが有益であり得る。図１４で見てとることができるとおり、第１のグループおよび第２のグループの移動端末装置１から移動端末装置Ｌが、第１の個別または共通の探索空間１４０１を有して構成される一方で、第３のグループの端末装置Ｌ＋１から端末装置Ｊが、第２の個別または共通の探索空間１４０２を有して構成される。これらの個別または共通の探索空間は、異なるグループの端末装置に関して別々であっても、重なり合ってもよいことに留意されたい。
【０１３３】
要約すると、複数のコンポーネント・キャリアのコンポーネント・キャリア・アグリゲーションを使用するＯＦＤＭベースの移動通信システムにおいて基地局からグループの移動端末装置に送信電力制御コマンドを送信するための方法が提供され、この方法は、基地局によって実行される以下のステップ、すなわち、複数の送信電力制御フィールドを有する送信電力制御メッセージを生成し、各送信電力制御メッセージの送信電力制御フィールドのうちの複数が、異なる移動端末装置にそれぞれ割り当てられ、各移動端末装置に割り当てられた複数の送信電力制御フィールドが、それぞれの移動端末装置によって集約されたアップリンク・コンポーネント・キャリアに関する送信電力コマンドをシグナリングするステップと、送信電力制御メッセージをダウンリンク・コンポーネント・キャリアの制御シグナリング領域にマップするステップと、サブフレーム内で、ダウンリンク・コンポーネント・キャリアの制御シグナリング領域に含まれる送信電力制御メッセージを移動端末装置に送信するステップとを備える。
【０１３４】
１つの移動端末装置に割り当てられる送信電力制御フィールドの数は、その移動端末装置のために構成されたアップリンク・コンポーネント・キャリアの数以下であり得る。
【０１３５】
この方法は、そのグループの移動端末装置のうちの移動端末装置に割当てメッセージを送信するステップをさらに備え、割当てメッセージは、移動端末装置を、送信電力制御メッセージの複数の送信電力制御フィールドのうちのそれぞれの複数に割り当て、さらに／または複数の一時識別子のうちの１つを移動端末装置に割り当てる割当て情報を含む。
【０１３６】
割当てメッセージは、より上位のレイヤのシグナリング・メッセージ、例えば、ＲＲＣメッセージであり得る。代替として、またはさらに、各送信電力制御メッセージ内の送信電力制御フィールドは、それぞれのインデックスによって識別されることが可能であり、さらに割当てメッセージは、移動端末装置に割り当てられた送信電力制御メッセージ内で送信電力制御フィールドのインデックスを示す。
【０１３７】
移動端末装置によって集約されたアップリンク・コンポーネント・キャリアは、グループのキャリアにグループ化されることが可能であり、さらにこの方法は、それらの移動端末装置のうちの１つの移動端末装置の各グループのキャリアに関して、その１つの移動端末装置に関するキャリア・グループ送信電力制御コマンドを決定し、各キャリア・グループ送信電力制御コマンドは、その１つの移動端末装置によって、それぞれのグループのキャリアに属するアップリンク・コンポーネント・キャリア上のアップリンク伝送に適用されるべき送信電力コマンドであるステップと、その１つの移動端末装置に関するキャリア・グループ送信電力制御を、送信電力制御メッセージの中のその１つの移動端末装置に割り当てられた複数の送信電力制御フィールドのうちの１つに含めるステップとをさらに備えている。
【０１３８】
この方法は、その１つの移動端末装置のために構成されたコンポーネント・キャリアをグループ化し、そのグループ化は、以下のパラメータ、すなわち、
− 割り当てられたアップリンク・コンポーネント・キャリア上の干渉条件および電力レベル、
− 割り当てられたアップリンク・コンポーネント・キャリア上のチャネル品質、
− 割り当てられたアップリンク・コンポーネント・キャリアの帯域幅、
− アップリンク・コンポーネント・キャリアに関する負荷分散機能のステータス、
− 基地局において利用可能な移動端末装置に関する送信電力制御フィールドの数、
− 基地局において利用可能なＴＰＣ  ＲＮＴＩの数、
− 割り当てられたアップリンク・コンポーネント・キャリアのタイプ、例えば、アップリンク・アンカ・キャリア、および
− 割り当てられたアップリンク・コンポーネント・キャリア上で移動端末装置によってシグナリングされるべきダウンリンク・データ伝送に対応するＡＣＫ／ＮＡＣＫの数
のうちの１つに少なくとも依存するステップをさらに備えることが可能である。
【０１３９】
キャリア・グループ送信電力制御コマンドのうちの１つは、その１つの移動端末装置によって、その移動端末装置のために構成されたすべてのアップリンク・コンポーネント・キャリア上の伝送に関して使用される、送信電力を制御する全キャリア送信電力制御コマンドであり得る。
【０１４０】
さらに、送信電力制御メッセージ内の１つの移動端末装置に割り当てられた複数の送信電力制御フィールドのうちの１つが、その移動端末装置のために構成されたすべてのアップリンク・コンポーネント・キャリアに関する送信電力制御コマンドをシグナリングしていることが可能であり、さらに送信電力制御メッセージのその他の送信電力制御フィールドが、その移動端末装置のために構成されたアップリンク・コンポーネント・キャリアのサブセットに関する送信電力制御コマンドをシグナリングしていることが可能である。
【０１４１】
全キャリア送信電力制御コマンドは、基地局によって、送信電力制御メッセージ内のその１つの移動端末装置に割り当てられた第１の送信電力制御フィールド内に含められることが可能である。
【０１４２】
この方法は、送信電力制御メッセージの送信電力制御フィールドに関するＣＲＣ符号を生成するステップと、そのＣＲＣ符号を、送信電力制御のために定義されたグループの移動端末装置に共通である、複数の一時識別子のうちの１つでマスクして、マスクされたＣＲＣ符号を獲得するステップと、そのマスクされたＣＲＣ符号を、ダウンリンク・コンポーネント・キャリアの制御シグナリング領域にマップするのに先立って、送信電力制御メッセージのＣＲＣフィールドに含めるステップとをさらに備えることが可能である。
【０１４３】
基地局は、移動端末装置の異なるグループに関する複数の送信電力制御メッセージを生成して、サブフレーム内で送信することが可能であり、送信電力制御メッセージのそれぞれは、送信電力制御のために定義されたグループの移動端末装置に共通である複数の一時識別子のうちの異なる１つでマスクされた、マスクされたＣＲＣを含む。
【０１４４】
この方法は、ＲＲＣシグナリングによって移動端末装置の異なる個別の探索空間および／または共通の探索空間を構成するステップをさらに備え、移動端末装置の探索空間は、移動端末装置が、送信電力制御メッセージを含む制御情報のブラインド検出を実行すべき各サブフレーム内の制御シグナリング領域の一部分を定義し、マップするステップは、各送信電力制御メッセージを、それぞれの送信電力制御メッセージ内の送信電力制御フィールドを割り当てられた移動端末装置の探索空間に含まれるサブフレーム内の制御シグナリング領域の一部分にマップするステップを含む。
【０１４５】
さらに、ＯＦＤＭベースの移動通信システム内の移動端末装置のアップリンク・コンポーネント・キャリアの送信電力制御のための方法が提供され、この方法は、移動端末装置によって実行される以下のステップ、すなわち、基地局からサブフレームを受信するステップと、受信されたサブフレーム内で、ダウンリンク・コンポーネント・キャリアの制御シグナリング領域内の送信電力制御メッセージのブラインド検出を実行し、送信電力制御メッセージは、複数の送信電力制御フィールドを有し、複数の送信電力制御フィールドのうちの複数の送信電力制御フィールドが、移動端末装置に割り当てられ、さらに移動端末装置によって集約されたアップリンク・コンポーネント・キャリアに関する送信電力コマンドを含むステップと、移動端末装置に割り当てられた送信電力制御メッセージ内の複数の送信電力制御フィールドから、移動端末装置のアップリンク・コンポーネント・キャリアに関する送信電力制御コマンドを決定するステップと、送信電力制御コマンドを、移動端末装置に関して集約されたアップリンク・コンポーネント・キャリア上のアップリンク伝送に適用するステップとを備える。
【０１４６】
方法は、基地局から、送信電力制御メッセージ内の複数の送信電力制御フィールド、および／またはその移動端末装置を含む複数の移動端末装置に共通であり、さらに送信電力制御のために定義された複数の一時識別子のうちの１つを移動端末装置に割り当てる少なくとも１つのＲＲＣメッセージを受信するステップをさらに備えることが可能である。
【０１４７】
さらに、本方法は、送信電力制御メッセージのＣＲＣフィールドからマスクされたＣＲＣ符号を獲得するステップと、そのマスクされたＣＲＣ符号を、その移動端末装置を含む複数の移動端末装置に共通であり、さらに送信電力制御のために定義された複数の一時識別子のうちの１つを使用してマスク解除して、ＣＲＣ符号を獲得するステップと、ＣＲＣ符号に基づいて、送信電力制御メッセージのブラインド検出の成功を検証するステップとを備えることが可能である。
【０１４８】
この方法は、基地局から、移動端末装置が、送信電力制御メッセージを含む制御情報のブラインド復号を実行すべきサブフレーム内の制御シグナリング領域の一部分を定義する共通の探索空間および／または個別の探索空間を示すＲＲＣメッセージを受信するステップをさらに備えることが可能である。
【０１４９】
さらに、複数のコンポーネント・キャリアのコンポーネント・キャリア・アグリゲーションを使用するＯＦＤＭベースの移動通信システムにおいて基地局から移動端末装置に送信電力制御コマンドを送信するための方法が提供され、この方法は、基地局によって実行される以下のステップ、すなわち、移動端末装置に関して、複数の送信電力制御フィールドをそれぞれ備える複数の送信電力制御メッセージを生成し、各送信電力制御メッセージの送信電力制御フィールドのうちのそれぞれの１つが、移動端末装置のうちのそれぞれの１つに、そのそれぞれの１つの移動端末装置のために構成されたアップリンク・コンポーネント・キャリアのうちの少なくとも１つに関する送信電力コマンドをシグナリングするために割り当てられるステップと、送信電力制御メッセージをダウンリンク・コンポーネント・キャリアの制御シグナリング領域にマップするステップと、サブフレーム内で、ダウンリンク・コンポーネント・キャリアの制御シグナリング領域内に含まれる送信電力制御メッセージを移動端末装置に送信するステップとを備える。
【０１５０】
この方法は、各送信電力制御メッセージに関するＣＲＣ系列を生成するステップと、送信電力制御メッセージに関するＣＲＣ系列を、送信電力制御のために定義された異なる複数の一時識別子でマスクするステップと、マスクされた各ＣＲＣ系列を、マッピングするステップに先立って、そのマスクされたＣＲＣ系列に対応する送信電力制御メッセージに追加するステップとをさらに備えることが可能である。
【０１５１】
移動端末装置によって集約されたアップリンク・コンポーネント・キャリアは、キャリアのグループにグループ化されることが可能であり、さらにこの方法は、移動端末装置のうちの１つの移動端末装置の各グループのキャリアに関して、その１つの移動端末装置に関するキャリア・グループ送信電力制御コマンドを決定し、各キャリア・グループ送信電力制御コマンドは、その１つの移動端末装置によって、それぞれのグループのキャリアに属するアップリンク・コンポーネント・キャリア上のアップリンク伝送に適用されるべき送信電力コマンドであるステップと、その１つの移動端末装置に関するキャリア・グループ送信電力制御コマンドを、送信電力制御メッセージ内のその１つの移動端末装置に割り当てられた複数の送信電力制御フィールドに含めるステップとをさらに備える。
【０１５２】
また、この方法は、その１つの移動端末装置のために構成されたコンポーネント・キャリアをグループ化し、そのグループ化は、以下のパラメータ、すなわち、
− 割り当てられたアップリンク・コンポーネント・キャリア上の干渉条件および電力レベル、
− 割り当てられたアップリンク・コンポーネント・キャリア上のチャネル品質、
− 割り当てられたアップリンク・コンポーネント・キャリアの帯域幅、
− アップリンク・コンポーネント・キャリアに関する負荷分散機能のステータス、
− 割り当てられたアップリンク・コンポーネント・キャリアのタイプ、
− 割り当てられた１つまたは複数のコンポーネント・キャリア上でダウンリンクＡＣＫ／ＮＡＣＫがシグナリングされるか否か、および
− 移動端末装置のために構成されたアップリンク・コンポーネント・キャリアの周波数帯域
のうちの１つに少なくとも依存するステップを備えることも可能である。
【０１５３】
キャリア・グループ送信電力制御コマンドのうちの１つは、その１つの移動端末装置によって、その移動端末装置のために構成されたすべてのアップリンク・コンポーネント・キャリア上の伝送に関して使用される送信電力を制御する全キャリア送信電力制御コマンドであり得る。
【０１５４】
移動端末装置に関する全キャリア送信電力制御コマンドは、基地局によって、ダウンリンク・コンポーネント・キャリアの制御シグナリング領域にマップされた最初の送信電力制御メッセージ内の移動端末装置に割り当てられた送信電力制御フィールド内に含められることが可能である。
【０１５５】
１つの移動端末装置に関する送信電力制御メッセージの数は、その１つの移動端末装置のために構成されたアップリンク・コンポーネント・キャリアの数以下であり得る。
【０１５６】
さらに、ＯＦＤＭベースの移動通信システム内の移動端末装置のアップリンク・コンポーネント・キャリアの送信電力制御のための方法が提供され、この方法は、移動端末装置によって実行される以下のステップ、すなわち、基地局からサブフレームを受信するステップと、受信されたサブフレーム内で、ダウンリンク・コンポーネント・キャリアの制御シグナリング領域内の複数の送信電力制御メッセージのブラインド検出を実行し、各送信電力制御メッセージは、１つが、移動端末装置に関するそれぞれの送信電力制御コマンドを備える複数の送信電力制御フィールドを備えるステップと、送信電力制御メッセージ内のそれぞれの１つの割り当てられた送信電力制御フィールドから、移動端末装置のために構成されたアップリンク・コンポーネント・キャリアに関する送信電力制御コマンドを決定するステップと、送信電力制御コマンドを、移動端末装置のために構成されたアップリンク・コンポーネント・キャリア上のアップリンク伝送に適用するステップとを備える。
【０１５７】
各送信電力制御メッセージの１つの送信電力制御フィールドは、送信電力制御メッセージ内のそのフィールドの位置を識別する共通のインデックスを有することが可能であり、さらにこの方法は、基地局から、移動端末装置に関するそれぞれの送信電力制御コマンドを備える送信電力制御メッセージ内の送信電力制御フィールドのインデックスについて移動端末装置に知らせるＲＲＣメッセージを受信するステップをさらに備える。
【０１５８】
また、この方法は、基地局から、移動端末装置が、送信電力制御メッセージを含む制御情報のブラインド復号を実行すべきサブフレームの制御シグナリング領域内の共通の探索空間および／または個別の探索空間を示すＲＲＣメッセージを受信するステップを備えることも可能である。
【０１５９】
送信電力制御メッセージ内の移動端末装置に関する複数の送信電力制御フィールドの少なくとも１つが、移動端末装置によって、移動端末装置のために構成されたグループのコンポーネント・キャリア上のすべての伝送に適用されるべき移動端末装置のために構成されたアップリンク・コンポーネント・キャリアのサブセットに関するキャリア・グループ送信電力制御コマンドをシグナリングしていることが可能であり、さらに送信電力制御コマンドを適用するステップは、そのグループのキャリアのうちのアップリンク・コンポーネント・キャリア上の伝送に各キャリア・グループ送信電力制御コマンドを適用するステップを備える。
【０１６０】
移動端末装置に関する複数の送信電力制御フィールドのうちの１つは、移動端末装置によって、その移動端末装置のために構成されたすべてのコンポーネント・キャリア上のすべての伝送に適用されるべき全キャリア送信電力制御コマンドをシグナリングしていることが可能であり、送信電力制御コマンドを適用するステップは、全キャリア送信電力制御コマンドを、移動端末装置によって構成されたすべてのアップリンク・コンポーネント・キャリア上のすべての伝送に適用するステップを備える。
【０１６１】
送信電力制御コマンドを適用するステップは、移動端末装置のために構成されたアップリンク・コンポーネント・キャリアのサブセット上の伝送に、移動端末装置によって構成されたすべてのアップリンク・コンポーネント・キャリアに関する全キャリア送信電力制御コマンドに加えて、アップリンク・コンポーネント・キャリアのそのサブセットに関するキャリア・グループ送信電力制御コマンドを適用するステップを備えることが可能である。
【０１６２】
さらに、複数のコンポーネント・キャリアのコンポーネント・キャリア・アグリゲーションを使用するＯＦＤＭベースの移動通信システムにおいて基地局から移動端末装置に送信電力制御コマンドを送信するための方法が提供され、この方法は、基地局によって実行される以下のステップ、すなわち、各移動端末装置に関して、その移動端末装置の複数の構成されたコンポーネント・キャリアを少なくとも２つのグループのキャリアにグループ化するステップと、各移動端末装置に関して、それぞれの移動端末装置の各グループのキャリアに関するキャリア・グループ送信電力制御コマンドを生成するステップと、移動端末装置に割り当てられた複数の送信電力制御フィールドをそれぞれ有する複数の送信電力制御メッセージを生成し、キャリア・グループ送信電力制御コマンドは、その複数の送信電力制御フィールドに含められるステップと、送信電力制御メッセージをダウンリンク・コンポーネント・キャリアの制御シグナリング領域にマップするステップと、サブフレーム内で、ダウンリンク・コンポーネント・キャリアの制御シグナリング領域内の電力制御メッセージを移動端末装置に送信するステップとを備える。
【０１６３】
それぞれの移動端末装置のキャリアのグループの数は、移動端末装置のために構成されたアップリンク・コンポーネント・キャリアの数より少ないことがあり得る。移動端末装置のうちの１つの移動端末装置のキャリア・グループ送信電力制御コマンドは、１つの送信電力制御メッセージ内の送信電力制御フィールドにマップされ得る。キャリア・グループ送信電力制御コマンドのうちの１つは、それぞれの移動端末装置によって、その移動端末装置のすべてのアップリンク・コンポーネント・キャリア上の伝送のために使用される送信電力を制御する全キャリア送信電力制御コマンドであり得る。全キャリア送信電力制御コマンドは、その１つの送信電力制御メッセージ内で現れる移動端末装置に割り当てられた最初の送信電力制御フィールドに含められることが可能である。
【０１６４】
移動端末装置のうちのそれぞれの１つの移動端末装置の各キャリア・グループ送信電力制御コマンドが、異なる送信電力制御メッセージ内の１つの送信電力制御フィールドにマップされることが可能である。
【０１６５】
キャリア・グループ送信電力制御コマンドのうちの１つは、それぞれの移動端末装置によって、その移動端末装置のすべてのアップリンク・コンポーネント・キャリア上の伝送に関して使用される送信電力を制御する全キャリア送信電力制御コマンドであり得る。
【０１６６】
「全キャリア」送信電力制御コマンドは、サブフレームの制御シグナリング領域内の最初の送信電力制御メッセージに含められることが可能である。
【０１６７】
複数のコンポーネント・キャリアのコンポーネント・キャリア・アグリゲーションを使用するＯＦＤＭベースの移動通信システムにおいて使用するための基地局が提供され、この基地局は、複数の送信電力制御フィールドを有する送信電力制御メッセージを生成するように適合され、各送信電力制御メッセージの送信電力制御フィールドのうちの複数が、異なる移動端末装置にそれぞれ割り当てられ、さらに各移動端末装置に割り当てられた複数の送信電力制御フィールドは、それぞれの移動端末装置によって集約されたアップリンク・コンポーネント・キャリアに関する送信電力コマンドをシグナリングする処理ユニットと、送信電力制御メッセージをダウンリンク・コンポーネント・キャリアの制御シグナリング領域にマップするように適合されたマッピング・ユニットと、サブフレーム内で、ダウンリンク・コンポーネント・キャリアの制御シグナリング領域に含まれる送信電力制御メッセージを移動端末装置に送信するように適合された送信ユニットとを備える。
【０１６８】
ＯＦＤＭベースの移動通信システム内で使用するための移動端末装置が提供され、この移動端末装置は、基地局からサブフレームを受信するように適合された受信ユニットと、受信されたサブフレーム内で、ダウンリンク・コンポーネント・キャリアの制御シグナリング領域内の送信電力制御メッセージのブラインド検出を実行するように適合され、送信電力制御メッセージは、複数の送信電力制御フィールドを有し、複数の送信電力制御フィールドのうちの複数の送信電力制御フィールドが、移動端末装置に割り当てられ、さらに移動端末装置によって集約されたアップリンク・コンポーネント・キャリアに関する送信電力コマンドを含み、移動端末装置に割り当てられた送信電力制御メッセージ内の複数の送信電力制御フィールドから、移動端末装置のアップリンク・コンポーネント・キャリアに関する送信電力制御コマンドを決定するようにさらに適合された処理ユニットと、送信電力制御コマンドを、移動端末装置に関して集約されたアップリンク・コンポーネント・キャリア上のアップリンク伝送に適用するように適合された送信電力制御ユニットとを備える。
【０１６９】
複数のコンポーネント・キャリアのコンポーネント・キャリア・アグリゲーションを使用するＯＦＤＭベースの移動通信システムにおいて使用するための別の基地局が提供され、この基地局は、移動端末装置に関して、複数の送信電力制御フィールドをそれぞれ備える複数の送信電力制御メッセージを生成するように適合され、各送信電力制御メッセージの送信電力制御フィールドのうちのそれぞれの１つが、移動端末装置のうちのそれぞれの１つに、そのそれぞれの１つの移動端末装置のために構成されたアップリンク・コンポーネント・キャリアのうちの少なくとも１つに関する送信電力コマンドをシグナリングするために割り当てられる処理ユニットと、送信電力制御メッセージをダウンリンク・コンポーネント・キャリアの制御シグナリング領域にマップするように適合されたマッピング・ユニットと、サブフレーム内で、ダウンリンク・コンポーネント・キャリアの制御シグナリング領域内に含まれる送信電力制御メッセージを移動端末装置に送信するように適合された送信ユニットとを備える。
【０１７０】
さらに、ＯＦＤＭベースの移動通信システム内で使用するための移動端末装置が提供され、この移動端末装置は、基地局からサブフレームを受信するように適合された受信ユニットと、受信されたサブフレーム内で、ダウンリンク・コンポーネント・キャリアの制御シグナリング領域内の複数の送信電力制御メッセージのブラインド検出を実行するように適合され、各送信電力制御メッセージは、１つが、移動端末装置に関するそれぞれの送信電力制御コマンドを備える複数の送信電力制御フィールドを備え、送信電力制御メッセージ内のそれぞれの１つの割り当てられた送信電力制御フィールドから、移動端末装置のために構成されたアップリンク・コンポーネント・キャリアに関する送信電力制御コマンドを決定するようにさらに適合された処理ユニットと、送信電力制御コマンドを、移動端末装置のために構成されたアップリンク・コンポーネント・キャリア上のアップリンク伝送に適用するように適合された送信電力制御ユニットとを備える。
【０１７１】
さらに、複数のコンポーネント・キャリアのコンポーネント・キャリア・アグリゲーションを使用するＯＦＤＭベースの移動通信システムにおいて使用するための基地局が提供され、この基地局は、各移動端末装置に関して、その移動端末装置の複数の構成されたコンポーネント・キャリアを少なくとも２つのグループのキャリアにグループ化するように適合されたグループ化ユニットと、各移動端末装置に関して、それぞれの移動端末装置の各グループのキャリアに関するキャリア・グループ送信電力制御コマンドを生成するように適合され、移動端末装置に割り当てられた複数の送信電力制御フィールドをそれぞれ有する複数の送信電力制御メッセージを生成するようにさらに適合され、キャリア・グループ送信電力制御コマンドは、その複数の送信電力制御フィールドに含められる処理ユニットと、送信電力制御メッセージをダウンリンク・コンポーネント・キャリアの制御シグナリング領域にマップするように適合されたマッピング・ユニットと、サブフレーム内で、ダウンリンク・コンポーネント・キャリアの制御シグナリング領域内の電力制御メッセージを移動端末装置に送信するように適合された送信ユニットとを備える。
【０１７２】
基地局の処理ユニットによって実行されると、基地局に、複数の送信電力制御フィールドを有する送信電力制御メッセージを生成させ、各送信電力制御メッセージの送信電力制御フィールドのうちの複数が、異なる移動端末装置にそれぞれ割り当てられ、さらに各移動端末装置に割り当てられた複数の送信電力制御フィールドは、それぞれの移動端末装置によって集約されたアップリンク・コンポーネント・キャリアに関する送信電力コマンドをシグナリングし、送信電力制御メッセージをダウンリンク・コンポーネント・キャリアの制御シグナリング領域にマップさせ、サブフレーム内で、ダウンリンク・コンポーネント・キャリアの制御シグナリング領域に含まれる送信電力制御メッセージを移動端末装置に送信させる命令を格納するコンピュータ可読記憶媒体が提供される。
【０１７３】
さらに、移動端末装置の処理ユニットによって実行されると、移動端末装置に、基地局からサブフレームを受信させ、受信されたサブフレーム内で、ダウンリンク・コンポーネント・キャリアの制御シグナリング領域内の送信電力制御メッセージのブラインド検出を実行させ、送信電力制御メッセージは、複数の送信電力制御フィールドを備え、複数の送信電力制御フィールドのうちの複数の送信電力制御フィールドが、移動端末装置に割り当てられ、さらに移動端末装置によって集約されたアップリンク・コンポーネント・キャリアに関する送信電力コマンドを含み、移動端末装置に割り当てられた送信電力制御メッセージ内の複数の送信電力制御フィールドから、移動端末装置のアップリンク・コンポーネント・キャリアに関する送信電力制御コマンドを決定させ、さらに送信電力制御コマンドを、移動端末装置に関して集約されたアップリンク・コンポーネント・キャリア上のアップリンク伝送に適用させる命令を格納するコンピュータ可読記憶媒体が提供される。
【０１７４】
さらに、基地局の処理ユニットによって実行されると、基地局に、移動端末装置に関して、複数の送信電力制御フィールドをそれぞれ備える複数の送信電力制御メッセージを生成させ、各送信電力制御メッセージの送信電力制御フィールドのうちのそれぞれの１つが、移動端末装置のうちのそれぞれの１つに、そのそれぞれの１つの移動端末装置のために構成されたアップリンク・コンポーネント・キャリアのうちの少なくとも１つに関する送信電力コマンドをシグナリングするために割り当てられる、送信電力制御メッセージをダウンリンク・コンポーネント・キャリアの制御シグナリング領域にマップさせ、さらにサブフレーム内で、ダウンリンク・コンポーネント・キャリアの制御シグナリング領域内に含まれる送信電力制御メッセージを移動端末装置に送信させる命令を格納するコンピュータ可読記憶媒体が提供される。
【０１７５】
さらに、移動端末装置の処理ユニットによって実行されると、移動端末装置に、基地局からサブフレームを受信させ、受信されたサブフレーム内で、ダウンリンク・コンポーネント・キャリアの制御シグナリング領域内の複数の送信電力制御メッセージのブラインド検出を実行させ、各送信電力制御メッセージは、１つが、移動端末装置に関するそれぞれの送信電力制御コマンドを備える複数の送信電力制御フィールドを備え、送信電力制御メッセージ内のそれぞれの１つの割り当てられた送信電力制御フィールドから、移動端末装置のために構成されたアップリンク・コンポーネント・キャリアに関する送信電力制御コマンドを決定させ、さらに送信電力制御コマンドを、移動端末装置のために構成されたアップリンク・コンポーネント・キャリア上のアップリンク伝送に適用させる命令を格納するコンピュータ可読記憶媒体。
【０１７６】
さらに、基地局の処理ユニットによって実行されると、基地局に、各移動端末装置に関して、その移動端末装置の複数の構成されたコンポーネント・キャリアを少なくとも２つのグループのキャリアにグループ化させ、各移動端末装置に関して、それぞれの移動端末装置の各グループのキャリアに関するキャリア・グループ送信電力制御コマンドを生成させ、移動端末装置に割り当てられた複数の送信電力制御フィールドをそれぞれ有する複数の送信電力制御メッセージを生成させ、キャリア・グループ送信電力制御コマンドは、その複数の送信電力制御フィールドに含められ、送信電力制御メッセージをダウンリンク・コンポーネント・キャリアの制御シグナリング領域にマップさせ、さらにサブフレーム内で、ダウンリンク・コンポーネント・キャリアの制御シグナリング領域内の電力制御メッセージを移動端末装置に送信させる命令を格納するコンピュータ可読記憶媒体。
【０１７７】
前述のコンピュータ可読記憶媒体は、コンピュータに、前述した方法のうちのいずれかの方法のステップを実行させる命令を格納することも可能であることに留意されたい。
【０１７８】
本発明の別の実施形態は、ハードウェアおよびソフトウェアを使用する前述した様々な実施形態の実施と関係する。本発明の様々な実施形態は、コンピューティング・デバイス（プロセッサ）を使用して実施される、または実行されることが可能であることが認識される。コンピューティング・デバイスまたはプロセッサは、例えば、汎用プロセッサ、ＤＳＰ（デジタル・シグナル・プロセッサ）、ＡＳＩＣ（特定用途向け集積回路）、ＦＰＧＡ（フィールド・プログラマブル・ゲート・アレイ）、または他のプログラマブル論理デバイスなどであり得る。また、本発明の様々な実施形態は、これらのデバイスの組合せによって実行または実施されることも可能である。
【０１７９】
さらに、本発明の様々な実施形態は、プロセッサによって実行されるソフトウェア・モジュールによって、またはハードウェアにおいて直接に実施されることも可能である。また、ソフトウェア・モジュールとハードウェア実装形態の組合せも可能であり得る。これらのソフトウェア・モジュールは、任意の種類のコンピュータ可読記憶媒体上に、例えば、ＲＡＭ、ＥＰＲＯＭ、ＥＥＰＲＯＭ、フラッシュ・メモリ、レジスタ、ハードディスク、ＣＤ−ＲＯＭ、ＤＶＤなどの上に格納され得る。
【０１８０】
本発明の様々な実施形態の個々の特徴は、個別に、または任意の組合せで、別の発明の主題であり得ることにさらに留意されたい。
【０１８１】
広く説明される本発明の趣旨または範囲を逸脱することなく、特定の実施形態において示される本発明に多数の変更および／または変形が行われ得ることが、当業者には認識されよう。したがって、これらの実施形態は、すべての点で例示的であり、制限的ではないものとされる。
【図１】
0005844743.tif 000020
【図２】
0005844743.tif 000021
【図３】
0005844743.tif 000022
【図４】
0005844743.tif 000023
【図５】
0005844743.tif 000024
【図６】
0005844743.tif 000025
【図７】
0005844743.tif 000026
【図８】
0005844743.tif 000027
【図９】
0005844743.tif 000028
【図１０】
0005844743.tif 000029
【図１１】
0005844743.tif 000030
【図１２】
0005844743.tif 000031
【図１３】
0005844743.tif 000032
【図１４】
0005844743.tif 000033